(57)【要約】【課題】基地局とユーザ装置間のデータ通信の効率的なソリューションを提供する。【解決手段】本開示は、ショートＴＴＩが適用される少なくとも１つの第１のキャリアと、ロングＴＴＩが適用される少なくとも１つの第２のキャリアと、のＣＡをサポートする通信システムにおいて、ユーザ装置へのデータ送信を実行するための基地局における方法を提供する。方法は、第１のキャリア上のショートＴＴＩ及び第２のキャリア上のロングＴＴＩのうちの少なくとも１つのＤＬ制御領域において、ユーザ装置へのデータ送信に対応する少なくとも１つのＤＬスケジューリンググラントを送信することと、少なくとも１つのＤＬスケジューリンググラントによって示されるように、第１のキャリア上のショートＴＴＩのデータ送信領域において、及び、第２のキャリア上のロングＴＴＩのデータ送信領域において、ユーザ装置へのＤＬデータ送信を実行することと、を含む。【選択図】図３
2020005299.tif 000002
【特許請求の範囲】
【請求項１】
ショートＴＴＩ（Ｔｒａｎｓｍｉｓｓｉｏｎ  Ｔｉｍｅ  Ｉｎｔｅｒｖａｌ）が適用される少なくとも１つの第１のキャリアと、ロングＴＴＩが適用される少なくとも１つの第２のキャリアと、のキャリアアグリゲーションをサポートする通信システムにおいて、ユーザ装置へのデータ送信を実行するための基地局における方法であって、
第１のキャリア上のショートＴＴＩ及び第２のキャリア上のロングＴＴＩのうちの少なくとも１つのダウンリンク制御領域において、前記ユーザ装置へのデータ送信に対応する少なくとも１つのダウンリンクスケジューリンググラントを送信することと、
前記少なくとも１つのダウンリンクスケジューリンググラントによって示されるように、前記第１のキャリア上のショートＴＴＩのデータ送信領域において、及び、前記第２のキャリア上のロングＴＴＩの前記データ送信領域において、前記ユーザ装置へのダウンリンクデータ送信を実行することと、
を含み、
前記ユーザ装置へのデータ送信に対応する少なくとも１つのダウンリンクスケジューリンググラントを送信することは、
前記第１のキャリア上のショートＴＴＩの前記ダウンリンク制御領域において、前記第２のキャリア上のデータ送信に対応するダウンリンクスケジューリンググラントを送信することを含み、前記第２のキャリア上の前記ダウンリンクデータ送信は、前記対応するダウンリンクスケジューリンググラントが送信された前記ショートＴＴＩの長さに対するロングＴＴＩの長さの比に応じて決定される前記ロングＴＴＩにおいて、実行され、
又は、
前記第２のキャリア上のロングＴＴＩの前記ダウンリンク制御領域において、前記第１のキャリア上のデータ送信に対応するダウンリンクスケジューリンググラントを送信することを含み、前記第１のキャリア上の前記ダウンリンクデータ送信は、前記対応するダウンリンクスケジューリンググラントが送信された前記ロングＴＴＩの長さに対するショートＴＴＩの長さの比に応じて決定される前記ショートＴＴＩにおいて、実行される、
方法。
【請求項２】
前記第１のキャリア上の前記ショートＴＴＩの前記ダウンリンク制御領域において、前記第２のキャリア上のデータ送信に対応する前記ダウンリンクスケジューリンググラントを送信する場合に、前記第１のキャリア上のショートＴＴＩの前記ダウンリンク制御領域において、前記第１のキャリア上のデータ送信に対応するダウンリンクスケジューリンググラントを送信することをさらに含み、
前記第１のキャリア上の前記ダウンリンクデータ送信は、前記対応するダウンリンクスケジューリンググラントが送信された前記ショートＴＴＩにおいて、又は、前記対応するダウンリンクスケジューリンググラントが送信された前記ショートＴＴＩの直後のショートＴＴＩにおいて、実行され、
前記第２のキャリア上の前記ダウンリンクデータ送信は、インデックスｎｌｏｎｇの前記ロングＴＴＩにおいて、実行され、インデックスｎｌｏｎｇと、前記対応するダウンリンクスケジューリンググラントが送信された前記ショートＴＴＩのインデックスｎｓｈｏｒｔと、は、ｎｌｏｎｇ＝ｎｓｈｏｒｔ／２の関係を有し、ｎｓｈｏｒｔは偶数である、
請求項１に記載の方法。
【請求項３】
前記第２のキャリア上の前記ロングＴＴＩの前記ダウンリンク制御領域において、前記第１のキャリア上のデータ送信に対応する前記ダウンリンクスケジューリンググラントを送信する場合に、前記第２のキャリア上のロングＴＴＩの前記ダウンリンク制御領域において、前記第２のキャリア上のデータ送信に対応するダウンリンクスケジューリンググラントを送信することをさらに含み、
前記第２のキャリア上の前記ダウンリンクデータ送信は、前記対応するダウンリンクスケジューリンググラントが送信された前記ロングＴＴＩにおいて、又は、前記対応するダウンリンクスケジューリンググラントが送信された前記ロングＴＴＩの直後のロングＴＴＩにおいて、実行され、
前記第１のキャリア上の前記ダウンリンクデータ送信は、インデックスｎｓｈｏｒｔの前記ショートＴＴＩにおいて、実行され、インデックスｎｓｈｏｒｔと、前記対応するダウンリンクスケジューリンググラントが送信された前記ロングＴＴＩのインデックスｎｌｏｎｇと、は、ｎｌｏｎｇ＝ｆｌｏｏｒ（ｎｓｈｏｒｔ／２）の関係を有し、ｎｓｈｏｒｔは整数である、
又は、
前記第１のキャリア上の前記ダウンリンクデータ送信は、インデックスｎｓｈｏｒｔの前記ショートＴＴＩにおいて、実行され、インデックスｎｓｈｏｒｔと、前記対応するダウンリンクスケジューリンググラントが送信された前記ロングＴＴＩのインデックスｎｌｏｎｇと、は、ｎｌｏｎｇ＝ｆｌｏｏｒ（（ｎｓｈｏｒｔ−１）／２）の関係を有し、ｎｓｈｏｒｔは整数である、
請求項１に記載の方法。
【請求項４】
ショートＴＴＩ（Ｔｒａｎｓｍｉｓｓｉｏｎ  Ｔｉｍｅ  Ｉｎｔｅｒｖａｌ）が適用される少なくとも１つの第１のキャリアと、ロングＴＴＩが適用される少なくとも１つの第２のキャリアと、のキャリアアグリゲーションをサポートする通信システムにおいて、基地局へＨＡＲＱ（Ｈｙｂｒｉｄ  Ａｕｔｏｍａｔｉｃ  Ｒｅｐｅａｔ  ｒｅＱｕｅｓｔ）を送信するためのユーザ装置における方法であって、
第１のキャリア上のショートＴＴＩのデータ送信領域において、及び、第２のキャリア上のロングＴＴＩの前記データ送信領域において、前記基地局からダウンリンクデータ送信を受信することと、
前記第１のキャリア上のショートＴＴＩ及び前記第２のキャリア上のロングＴＴＩのうちの少なくとも１つのアップリンク制御領域において、前記受信されたダウンリンクデータ送信のためのＨＡＲＱフィードバックを、前記基地局へ送信することと、
を含む方法。
【請求項５】
前記第１のキャリア上で受信された前記ダウンリンクデータ送信のための前記ＨＡＲＱフィードバックは、前記ダウンリンクデータ送信が受信された前記ショートＴＴＩの直後の又は２つ後のショートＴＴＩにおいて、前記第１のキャリア上で送信される、
請求項４に記載の方法。
【請求項６】
前記第２のキャリア上で受信された前記ダウンリンクデータ送信のための前記ＨＡＲＱフィードバックは、前記ダウンリンクデータ送信が受信された前記ロングＴＴＩの直後の又は２つ後のロングＴＴＩにおいて、前記第２のキャリア上で送信される、
請求項５に記載の方法。
【請求項７】
前記第２のキャリア上で受信された前記ダウンリンクデータ送信のための前記ＨＡＲＱフィードバックは、次のいずれかのショートＴＴＩにおいて、前記第１のキャリア上で送信される、
インデックスｎｓｈｏｒｔのショートＴＴＩ（インデックスｎｓｈｏｒｔと、前記ダウンリンクデータ送信が受信された前記ロングＴＴＩのインデックスｎｌｏｎｇと、は、ｎｓｈｏｒｔ＝２＊（ｎｌｏｎｇ＋１）＋１の関係を有し、ｎｌｏｎｇは整数である）、又は、
インデックスｎｓｈｏｒｔのショートＴＴＩ（インデックスｎｓｈｏｒｔと、前記ダウンリンクデータ送信が受信された前記ロングＴＴＩのインデックスｎｌｏｎｇと、は、ｎｓｈｏｒｔ＝２＊（ｎｌｏｎｇ＋１）の関係を有し、ｎｌｏｎｇは整数である）、
請求項５に記載の方法。
【請求項８】
前記第２のキャリア上で受信された前記ダウンリンクデータ送信のための前記ＨＡＲＱフィードバックは、前記ダウンリンクデータ送信が受信された前記ロングＴＴＩの直後の又は２つ後のロングＴＴＩにおいて、前記第２のキャリア上で送信され、
前記第１のキャリア上で受信された前記ダウンリンクデータ送信のための前記ＨＡＲＱフィードバックは、インデックスｎｌｏｎｇのロングＴＴＩにおいて、前記第２のキャリア上で送信され、インデックスｎｌｏｎｇと、前記ダウンリンクデータ送信が受信された前記ショートＴＴＩのインデックスｎｓｈｏｒｔと、は、ｎｌｏｎｇ＝ｆｌｏｏｒ（ｎｓｈｏｒｔ／２）＋１の関係を有し、ｎｓｈｏｒｔは整数である、
請求項４に記載の方法。
【請求項９】
前記第２のキャリア上で受信された前記ダウンリンクデータ送信のための前記ＨＡＲＱフィードバックは、前記ダウンリンクデータ送信が受信された前記ロングＴＴＩにおいて、前記第２のキャリア上で送信され、
前記第１のキャリア上で受信された前記ダウンリンクデータ送信のための前記ＨＡＲＱフィードバックは、インデックスｎｌｏｎｇのロングＴＴＩにおいて、前記第２のキャリア上で送信され、インデックスｎｌｏｎｇと、前記ダウンリンクデータ送信が受信された前記ショートＴＴＩのインデックスｎｓｈｏｒｔと、は、ｎｌｏｎｇ＝ｆｌｏｏｒ（（ｎｓｈｏｒｔ−１）／２）＋１の関係を有し、ｎｓｈｏｒｔは整数である、
請求項４に記載の方法。
【発明の詳細な説明】
【技術分野】
【０００１】
本開示の実施形態は、一般には無線通信技術に関し、より詳細には、キャリアアグリゲーション（Ｃａｒｒｉｅｒ  Ａｇｇｒｅｇａｔｉｏｎ，ＣＡ）をサポートする無線通信システムにおけるデータ送信及びハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）フィードバックのための方法及び装置に関する。
【背景技術】
【０００２】
このセクションは、本開示のより良い理解を容易にし得る態様を紹介する。従って、このセクションの記述は、この観点で読まれるべきであり、先行技術にあるもの又は先行技術にないものについてのアドミッションとして理解されるべきではない。
【０００３】
第４世代（ｆｏｕｒｔｈ  ｇｅｎｅｒａｔｉｏｎ，４Ｇ）無線アクセス技術（ｒａｄｉｏ  ａｃｃｅｓｓ  ｔｅｃｈｎｏｌｏｇｙ，ＲＡＴ）、すなわち、ロング・ターム・エボリューション・アドバンスト（Ｌｏｎｇ  Ｔｅｒｍ  Ｅｖｏｌｕｔｉｏｎ−Ａｄｖａｎｃｅｄ，ＬＴＥ−Ａ）の標準化が進行中である一方で、通常は５Ｇと呼ばれるＢｅｙｏｎｄ  ４Ｇの議論がすでに開始されている。５Ｇシステムでは、レイテンシの要件がさらに厳しくなり、その結果、高速制御シグナリング（ｆａｓｔ  ｃｏｎｔｒｏｌ  ｓｉｇｎａｌｉｎｇ）での短いラウンドトリップタイム（ｒｏｕｎｄ−ｔｒｉｐ  ｔｉｍｅ，ＲＴＴ）及びフレキシブルなアップリンク（Ｕｐｌｉｎｋ，ＵＬ）／ダウンリンク（Ｄｏｗｎｌｉｎｋ，ＤＬ）比のサポートが実現される。
【０００４】
そのため、図１に示されるように、５Ｇシステムのための物理サブフレーム構造が提案されている。図示されるように、各サブフレーム又は送信時間間隔（Ｔｒａｎｓｍｉｓｓｉｏｎ  Ｔｉｍｅ  Ｉｎｔｅｒｖａｌ，ＴＴＩ）は、ＤＬ制御領域、ＵＬ制御領域、及びＤＬ／ＵＬデータ送信領域を、この順に含んでいる。例えば、ＤＬ制御領域は、ＤＬスケジューリンググラント（ＤＬ  ｓｃｈｅｄｕｌｉｎｇ  ｇｒａｎｔ）又はＵＬスケジューリンググラント（ＵＬ  ｓｃｈｅｄｕｌｉｎｇ  ｇｒａｎｔ）をユーザ装置（ｕｓｅｒ  ｅｑｕｉｐｍｅｎｔ）に送信するために、又は、ユーザ装置のＵＬデータ送信のためのＨＡＲＱフィードバックを送信するために、基地局によって使用されても良い。ＵＬ制御領域は、ＤＬデータ送信のためのＨＡＲＱフィードバックを送信するために、ユーザ装置によって使用されても良い。データ送信領域は、それぞれのスケジューリンググラントに従って、基地局からＤＬデータ送信を送信するために、又は、ユーザ装置からＵＬデータ送信を送信するために、使用されても良い。制御領域は、レシーバでの高速かつコスト効率の良いパイプライン処理を可能にするために、データ送信領域の前に配置されている。
【０００５】
５Ｇシステムのための物理サブフレーム構造の別の提案が図２に示されている。図示されるように、各サブフレーム又はＴＴＩは、ＤＬ制御領域、ＤＬ／ＵＬデータ送信領域、及びＵＬ制御領域を、この順に含んでいる。この構造では、ＤＬ制御領域は、ＨＡＲＱ  ＲＴＴを最小にするために、ＵＬ制御領域の前に配置されたデータ送信の前に配置されている。
【０００６】
ＬＴＥ−Ａでは、同じ長さのサブフレーム／ＴＴＩを適用した複数のコンポーネントキャリアのキャリアアグリゲーションを採用してスループットを向上させている。しかし、５Ｇシステムでは、キャリア周波数がさらに高くなることに伴い、異なる長さのサブキャリア／ＴＴＩが、高周波数帯域でも、異なるキャリアで採用される可能性がある。
【発明の概要】
【発明が解決しようとする課題】
【０００７】
本開示の様々な実施形態は、５Ｇシステムにおけるキャリアアグリゲーションで異なる長さのＴＴＩを収容するために、基地局とユーザ装置との間のデータ通信を実行するための効率的なソリューションを提供することを目的とする。本開示の実施形態の他の特徴及び利点は、本開示の実施形態の原理を例として示す添付の図面と併せて読めば、以下の特定の実施形態の説明からも理解されるであろう。
【課題を解決するための手段】
【０００８】
本開示の第１の態様では、ショートＴＴＩが適用される少なくとも１つの第１のキャリアと、ロングＴＴＩが適用される少なくとも１つの第２のキャリアと、のキャリアアグリゲーションをサポートする無線通信システムにおいて、ユーザ装置へのデータ送信を実行するための基地局で実行される方法が提供される。この方法は、第１のキャリア上のショートＴＴＩ及び第２のキャリア上のロングＴＴＩのうちの少なくとも１つのダウンリンク制御領域において、ユーザ装置へのデータ送信に対応する少なくとも１つのダウンリンクスケジューリンググラントを送信することと、前記少なくとも１つのダウンリンクスケジューリンググラントによって示されるように、前記第１のキャリア上のショートＴＴＩのデータ送信領域において、及び、前記第２のキャリア上のロングＴＴＩのデータ送信領域において、前記ユーザ装置へのダウンリンクデータ送信を実行することと、を含む。
【０００９】
本開示の第２の態様では、ショートＴＴＩが適用される少なくとも１つの第１のキャリアと、ロングＴＴＩが適用される少なくとも１つの第２のキャリアと、のキャリアアグリゲーションをサポートする無線通信システムにおいて、基地局へＨＡＲＱフィードバックを送信するためのユーザ装置で実行される方法が提供される。この方法は、第２のキャリア上のロングＴＴＩのデータ送信領域において、及び、第１のキャリア上のショートＴＴＩのデータ送信領域において、基地局からダウンリンクデータ送信を受信することと、前記第１のキャリア上のショートＴＴＩ及び前記第２のキャリア上のロングＴＴＩのうちの少なくとも１つのアップリンク制御領域において、前記受信されたダウンリンクデータ送信のためのＨＡＲＱフィードバックを、前記基地局へ送信することと、を含む。
【００１０】
本開示の第３の態様では、ショートＴＴＩが適用される少なくとも１つの第１のキャリアと、ロングＴＴＩが適用される少なくとも１つの第２のキャリアと、のキャリアアグリゲーションをサポートする無線通信システムにおいて、基地局へのデータ送信を実行するためのユーザ装置で実行される方法が提供される。この方法は、第１のキャリア上のショートＴＴＩ及び第２のキャリア上のロングＴＴＩのうちの少なくとも１つのダウンリンク制御領域において、前記基地局へのデータ送信のための少なくとも１つのアップリンクスケジューリンググラントを受信することと、前記少なくとも１つのアップリンクスケジューリンググラントによって示されるように、前記第１のキャリア上のショートＴＴＩのデータ送信領域において、及び、前記第２のキャリア上のロングＴＴＩのデータ送信領域において、前記基地局へのアップリンクデータ送信を実行することと、を含む。
【００１１】
本開示の第４の態様では、ショートＴＴＩが適用される少なくとも１つの第１のキャリアと、ロングＴＴＩが適用される少なくとも１つの第２のキャリアと、のキャリアアグリゲーションをサポートする無線通信システムにおいて、ユーザ装置へＨＡＲＱフィードバックを送信するための基地局で実行される方法が提供される。この方法は、第１のキャリア上のショートＴＴＩのデータ送信領域において、及び、第２のキャリア上のロングＴＴＩの前記データ送信領域において、前記ユーザ装置からアップリンクデータ送信を受信することと、前記第１のキャリア上のショートＴＴＩ及び前記第２のキャリア上のロングＴＴＩのうちの少なくとも１つのダウンリンク制御領域において、前記受信されたアップリンクデータ送信のためのＨＡＲＱフィードバックを、前記ユーザ装置へ送信することと、を含む。
【００１２】
本開示の第５の態様では、ショートＴＴＩが適用される少なくとも１つの第１のキャリアと、ロングＴＴＩが適用される少なくとも１つの第２のキャリアと、のキャリアアグリゲーションをサポートする通信システムにおいて、ユーザ装置へのデータ送信を実行するための基地局における装置が提供される。この装置は、第１のキャリア上のショートＴＴＩ及び第２のキャリア上のロングＴＴＩのうちの少なくとも１つのダウンリンク制御領域において、前記ユーザ装置へのデータ送信に対応する少なくとも１つのダウンリンクスケジューリンググラントを送信するように構成されるスケジューラと、前記少なくとも１つのダウンリンクスケジューリンググラントによって示されるように、前記第１のキャリア上のショートＴＴＩのデータ送信領域において、及び、前記第２のキャリア上のロングＴＴＩのデータ送信領域において、前記ユーザ装置へのダウンリンクデータ送信を実行するように構成されるトランスミッタと、を含む。
【００１３】
本開示の第６の態様では、ショートＴＴＩが適用される少なくとも１つの第１のキャリアと、ロングＴＴＩが適用される少なくとも１つの第２のキャリアと、のキャリアアグリゲーションをサポートする通信システムにおいて、基地局へのＨＡＲＱフィードバックの送信を実行するためのユーザ装置における装置が提供される。この装置は、第２のキャリア上のロングＴＴＩのデータ送信領域において、及び、第１のキャリア上のショートＴＴＩのデータ送信領域において、前記基地局からダウンリンクデータ送信を受信するように構成されるレシーバと、前記第１のキャリア上のショートＴＴＩ及び前記第２のキャリア上のロングＴＴＩのうちの少なくとも１つのアップリンク制御領域において、前記受信されたダウンリンクデータ送信のためのＨＡＲＱフィードバックを、前記基地局に送信するように構成されるトランスミッタと、を含む。
【００１４】
本開示の第７の態様では、ショートＴＴＩが適用される少なくとも１つの第１のキャリアと、ロングＴＴＩが適用される少なくとも１つの第２のキャリアと、のキャリアアグリゲーションをサポートする通信システムにおいて、基地局へのデータ送信を実行するためのユーザ装置における装置が提供される。この装置は、第１のキャリア上のショートＴＴＩ及び第２のキャリア上のロングＴＴＩのうちの少なくとも１つのダウンリンク制御領域において、前記基地局へのデータ送信のための少なくとも１つのアップリンクスケジューリンググラントを受信するように構成されるレシーバと、前記少なくとも１つのアップリンクスケジューリンググラントによって示されるように、前記第１のキャリア上のショートＴＴＩのデータ送信領域において、及び、前記第２のキャリア上のロングＴＴＩのデータ送信領域において、前記基地局へのアップリンクデータ送信を実行するように構成されるトランスミッタと、を含む。
【００１５】
本開示の第８の態様では、ショートＴＴＩが適用される少なくとも１つの第１のキャリアと、ロングＴＴＩが適用される少なくとも１つの第２のキャリアと、のキャリアアグリゲーションをサポートする無線通信システムにおいて、ユーザ装置へＨＡＲＱフィードバックを送信するための基地局における装置が提供される。この装置は、第２のキャリア上のロングＴＴＩのデータ送信領域において、及び、第１のキャリア上のショートＴＴＩのデータ送信領域において、前記ユーザ装置からアップリンクデータ送信を受信するように構成されるレシーバと、前記第１のキャリア上のショートＴＴＩ及び前記第２のキャリア上のロングＴＴＩのうちの少なくとも１つのダウンリンク制御領域において、前記受信されたアップリンクデータ送信に対するＨＡＲＱフィードバックを、前記ユーザ装置へ送信するように構成されるトランスミッタと、を含む。
【図面の簡単な説明】
【００１６】
本開示の様々な実施形態の上記及び他の態様、特徴、及び利点は、例として、添付の図面を参照して以下の詳細な説明からより完全に明らかになるであろう。
【００１７】
【図１】図１は、提案された５Ｇシステムのための物理サブフレーム構造を示している。
【００１８】
【図２】図２は、他に提案された５Ｇシステムのための物理サブフレーム構造を示している。
【００１９】
【図３】図３は、本開示の幾つかの実施形態による、データ送信のための方法３００のフローチャートを示している。
【００２０】
【図４】図４は、方法３００の第１の実施形態による、図１に示されるフレーム構造を持つ場合の、スケジューリンググラント送信とデータ送信との関係を示す２つの例を示している。
【００２１】
【図５】図５は、方法３００の第１の実施形態による、図２に示されるフレーム構造を持つ場合の、スケジューリンググラント送信とデータ送信との関係を示す別の例を示している。
【００２２】
【図６】図６は、方法３００の第２の実施形態による、図１に示されるフレーム構造を持つ場合の、スケジューリンググラント送信とデータ送信との関係を示す２つの例を示している。
【００２３】
【図７】図７は、方法３００の第２の実施形態による、図２に示されるフレーム構造を持つ場合の、スケジューリンググラント送信とデータ送信との関係を示す別の例を示している。
【００２４】
【図８】図８は、方法３００の第３の実施形態による、図１に示されるフレーム構造を持つ場合の、スケジューリンググラント送信とデータ送信との関係を示す２つの例を示している。
【００２５】
【図９】図９は、方法３００の第３の実施形態による、図２に示されるフレーム構造を持つ場合の、スケジューリンググラント送信とデータ送信との関係を示す別の例を示している。
【００２６】
【図１０】図１０は、本開示の幾つかの実施形態による、ＨＡＲＱフィードバックの送信のための方法１０００のフローチャートを示している。
【００２７】
【図１１】図１１は、方法１０００の第１の実施形態による、図１に示されるフレーム構造を持つ場合の、ＤＬデータ送信とＨＡＲＱフィードバック送信との関係を示す２つの例を示している。
【００２８】
【図１２】図１２は、方法１０００の第２の実施形態による、図１に示されるフレーム構造を持つ場合の、ＤＬデータ送信とＨＡＲＱフィードバック送信との関係を示す２つの例を示している。
【００２９】
【図１３】図１３は、方法１０００の第３の実施形態による、図２に示されるフレーム構造を持つ場合の、ＤＬデータ送信とＨＡＲＱフィードバック送信との関係を示す例を示している。
【００３０】
【図１４】図１４は、方法１０００の第３の実施形態による、図２に示されるフレーム構造を持つ場合の、ＤＬデータ送信とＨＡＲＱフィードバック送信との関係を示す別の例を示している。
【００３１】
【図１５】図１５は、方法１０００の第４の実施形態による、図１に示されるフレーム構造を持つ場合の、ＤＬデータ送信とＨＡＲＱフィードバック送信との関係を示す２つの例を示している。
【００３２】
【図１６】図１６は、方法１０００の第５の実施形態による、図２に示されるフレーム構造を持つ場合の、ＤＬデータ送信とＨＡＲＱフィードバック送信との関係を示す例を示している。
【００３３】
【図１７】図１７は、本開示の幾つかの実施形態による、データ送信のための方法１７００のフローチャートを示している。
【００３４】
【図１８】図１８は、方法１７００の第１の実施形態による、図１に示されるフレーム構造を持つ場合の、ＵＬスケジューリングとＵＬデータ送信との関係を示す例を示している。
【００３５】
【図１９】図１９は、方法１７００の第１の実施形態による、図２に示されるフレーム構造を持つ場合の、ＵＬスケジューリングとＵＬデータ送信との関係を示す別の例を示している。
【００３６】
【図２０】図２０は、方法１７００の第２の実施形態による、図１に示されるフレーム構造を持つ場合の、ＵＬスケジューリングとＵＬデータ送信との関係を示す２つの例を示している。
【００３７】
【図２１】図２１は、方法１７００の第２の実施形態による、図２に示されるフレーム構造を持つ場合の、ＵＬスケジューリングとＵＬデータ送信との関係を示す別の例を示している。
【００３８】
【図２２】図２２は、方法１７００の第３の実施形態による、図１に示されるフレーム構造を持つ場合の、ＵＬスケジューリングとＵＬデータ送信との関係を示す例を示している。
【００３９】
【図２３】図２３は、方法１７００の第３の実施形態による、図２に示されるフレーム構造を持つ場合の、ＵＬスケジューリングとＵＬデータ送信との関係を示す別の例を示している。
【００４０】
【図２４】図２４は、本開示の幾つかの実施形態による、ＨＡＲＱフィードバックの送信のための方法２４００のフローチャートを示している。
【００４１】
【図２５】図２５は、方法２４００の第１の実施形態による、図１に示されるフレーム構造を持つ場合の、ＵＬデータ送信とＨＡＲＱフィードバック送信との関係を示す例を示している。
【００４２】
【図２６】図２６は、方法２４００の第１の実施形態による、図２に示されるフレーム構造を持つ場合の、ＵＬデータ送信とＨＡＲＱフィードバック送信との関係を示す２つの別の例を示している。
【００４３】
【図２７】図２７は、方法２４００の第２の実施形態による、図１に示されるフレーム構造を持つ場合の、ＵＬデータ送信とＨＡＲＱフィードバック送信との関係を示す例を示している。
【００４４】
【図２８】図２８は、方法２４００の第１の実施形態による、図２に示されるフレーム構造を持つ場合の、ＵＬデータ送信とＨＡＲＱフィードバック送信との関係を示す２つの別の例を示している。
【００４５】
【図２９】図２９は、方法２４００の第３の実施形態による、図１に示されるフレーム構造を持つ場合の、ＵＬデータ送信とＨＡＲＱフィードバック送信との関係を示す例を示している。
【００４６】
【図３０】図３０は、方法２４００の第１の実施形態による、図２に示されるフレーム構造を持つ場合の、ＵＬデータ送信とＨＡＲＱフィードバック送信との関係を示す２つの別の例を示している。
【００４７】
【図３１】図３１は、本開示の幾つかの実施形態による、ユーザ装置へのデータ送信を実行するための装置３１００の概略的なブロック図を示している。
【００４８】
【図３２】図３２は、本開示の幾つかの実施形態による、基地局へＨＡＲＱフィードバックを送信するための装置３２００の概略的なブロック図を示している。
【００４９】
【図３３】図３３は、本開示の幾つかの実施形態による、基地局へのデータ送信を実行するための装置３３００の概略的なブロック図を示している。
【００５０】
【図３４】図３４は、本開示の幾つかの実施形態による、ユーザ装置へＨＡＲＱフィードバックを送信するための装置３４００の概略的なブロック図を示している。
【００５１】
【図３５】図３５は、本開示の幾つかの実施形態によるデータ送信を実行するための、又は、本開示の幾つかの他の実施形態によるＨＡＲＱフィードバックを送信するための装置３５００の概略的なブロック図を示している。
【００５２】
様々な図面における同様の参照番号及び名称は、同様の要素を示している。
【発明を実施するための形態】
【００５３】
以下、本開示の原理及び思想を、例示的な実施形態を参照して説明する。これらの実施形態の全ては、当業者が本開示をより理解し、さらに実施するために単に与えられるが、本開示の範囲を限定するものではないことを理解されたい。例えば、ある実施形態の一部として図示又は説明された特徴は、別の実施形態で使用されて、さらなる実施形態を生み出すことができる。明確化のために、実際の実装の全ての特徴は本明細書に記載されていない。
【００５４】
本明細書において、“一実施形態（ａｎ  ｅｍｂｏｄｉｍｅｎｔ）”、“別の実施形態（ａｎｏｔｈｅｒ  ｅｍｂｏｄｉｍｅｎｔ）”、“さらなる実施形態（ａ  ｆｕｒｔｈｅｒ  ｅｍｂｏｄｉｍｅｎｔ）”、及び同様の表現を参照することは、説明される実施形態が、特定の特徴、構造、又は特性を含むが、全ての実施形態が、上記の特定の特徴、構造、又は特性を必ずしも含まなくても良いことを示している。さらに、そのようなフレーズは、同じ実施形態を参照することを必要としない。さらに、特定の特徴、構造、又は特徴が、実施形態に関連して説明される場合には、明示的に説明又は説明しない他の実施形態に関連して、当業者の知識内に、このような特徴、構造、又は特徴が影響を与えることを示している。
【００５５】
本明細書では、“第１（ｆｉｒｓｔ）”及び“第２（ｓｅｃｏｎｄ）”などの用語は、様々な要素を説明するために使用されるが、これらの要素はこれらの用語によって限定されるべきではないことを理解されたい。これらの用語は、ある要素を別の要素と区別するためにのみ使用される。例えば、第１の要素は第２の要素と称することができ、同様に、第２の要素は第２の要素と称することができ、例示的な実施形態の範囲から逸脱することはない。本明細書で使用されるように、用語“及び／又は（ａｎｄ／ｏｒ）”は、関連するリストされた用語の１つ以上の任意及び全ての組み合わせを含む。
【００５６】
本明細書で使用される用語は、特定の実施形態を説明することのみを目的としており、実施形態を限定することを意図するものではない。本明細書で使用されるように、単数形「ａ」、「ａｎ」及び「ｔｈｅ」は、文脈がそうでないことを明確に示さない限り、複数形も含むことを意図している。本明細書で使用される場合、用語“備える（ｃｏｍｐｒｉｓｅｓ）”、“備える（ｃｏｍｐｒｉｓｉｎｇ）”、“有する（ｈａｓ）”、“有する（ｈａｖｉｎｇ）”、“含む（ｉｎｃｌｕｄｅｓ）”、及び／又は“含む（ｉｎｃｌｕｄｉｎｇ）”は、述べられた特徴、要素、及び／又は構成要素等の存在を特定するものであるが、１つ以上の他の特徴、要素、構成要素、及び／又はそれらの組み合わせの存在又は追加を排除するものではない。
【００５７】
以下の説明及び特許請求の範囲において、他に定義されない限り、本明細書中で使用されるすべての技術用語及び科学用語は、本開示が属する当業者によって一般に理解されるものと同じ意味を有する。例えば、本明細書で使用される“基地局（ｂａｓｅ  ｓｔａｔｉｏｎ，ＢＳ）”という用語は、例えば、ｅＮＢ、ｅＮｏｄｅＢ、ＮｏｄｅＢ、又はベーストランシーバ基地局（ｂａｓｅ  ｔｒａｎｓｃｅｉｖｅｒ  ｓｔａｔｉｏｎ，ＢＴＳ）、アクセスノード（Ａｃｃｅｓｓ  Ｎｏｄｅ，ＡＮ）又はアクセスポイント（Ａｃｃｅｓｓ  Ｐｏｉｎｔ，ＡＰ）などを指す。同様に、本明細書で使用される用語“ユーザ装置（ｕｓｅｒ  ｅｑｕｉｐｍｅｎｔ，ＵＥ）”は、無線通信機能を有する任意の端末デバイスを指す。端末デバイスは、モバイルフォン、セルラーフォン、スマートフォン、パーソナルデジタルアシスタント（ｐｅｒｓｏｎａｌ  ｄｉｇｉｔａｌ  ａｓｓｉｓｔａｎｔｓ，ＰＤＡｓ）、ポータブルコンピュータ、デジタルカメラなどの画像キャプチャデバイス、ゲーム機器、音楽ストレージ、再生機器、無線通信機能を有する任意のポータブルユニット又は端末、無線インターネットアクセス及びブラウジングなどを可能にするインターネット機器などを含むが、これらに限定されない。
【００５８】
以下、本開示の実施形態は、異なる長さの様々なＴＴＩが適用される周波数キャリアのキャリアアグリゲーションをサポートする無線通信システムに適用可能なデータ送信及びＨＡＲＱフィードバックのための新規なソリューションを提案する。
【００５９】
図３は、本開示の幾つかの実施形態による、データ送信のための方法３００のフローチャートを示している。方法３００は、ショートＴＴＩが適用される少なくとも１つのコンポーネントキャリア（以下、「第１のキャリア」と称する）と、ロングＴＴＩが適用される少なくとも１つのコンポーネントキャリア（以下、「第２のキャリア」と称する）と、のキャリアアグリゲーションをサポートする無線通信システムにおいて、ユーザ装置へのデータ送信を実行するために基地局で実行される。ロングＴＴＩ及びショートＴＴＩの各々は、ＤＬ制御領域、ＵＬ制御領域、及びデータ送信領域を含んでも良いが、必ずしもこの順序である必要はない。一例として、ＤＬ制御領域は、ＤＬスケジューリンググラント又はＵＬスケジューリンググラントをユーザ装置に送信するために基地局によって使用されても良い。データ送信領域は、それぞれのスケジューリンググラントに対応して、基地局からユーザ装置にＤＬデータ送信を送信するために使用されても良い。
【００６０】
本明細書で使用される用語「ショート」及び「ロング」は、単にロングＴＴＩがショートＴＴＩよりも相対的に長いという相対的な長さ関係にあることを単に指していることに留意されたい。また、本明細書で使用される、「ロング／ショートＴＴＩが適用されるキャリア」のような表現は、対応するＴＴＩの構造に従ったキャリア上の任意の送信のためのタイミングを意味する。
【００６１】
図３に示されるように、方法３００は、ブロック３１０で開始され、ブロック３１０では、基地局は、第２のキャリア上のロングＴＴＩのＤＬ制御領域において、又は、第１のキャリア上のショートＴＴＩのＤＬ制御領域において、又は、第２のキャリア上のロングＴＴＩ及び第１のキャリア上のショートＴＴＩの両方のＤＬ制御領域において、ユーザ装置へのデータ送信に対応する少なくとも１つのＤＬスケジューリンググラントを送信する。
【００６２】
次に、ブロック３２０では、基地局は、少なくとも１つのＤＬスケジューリンググラントによって示されるように、第２のキャリア上のロングＴＴＩのデータ送信領域において、及び、第１のキャリア上のショートＴＴＩのデータ送信領域において、ユーザ装置へのＤＬデータ送信を実行する。
【００６３】
方法３００の第１の実施形態では、基地局は、第２のキャリア上のロングＴＴＩのＤＬ制御領域において、第２のキャリア上のＤＬデータ送信に対応するＤＬスケジューリンググラントを送信しても良いし、第１のキャリア上のショートＴＴＩのＤＬ制御領域において、第１のキャリア上のＤＬデータ送信に対応するＤＬスケジューリンググラントを送信しても良い。この実施形態では、基地局は、対応するＤＬスケジューリンググラントが送信されたショートＴＴＩにおいて、又は、対応するＤＬスケジューリンググラントが送信されたショートＴＴＩの直後のショートＴＴＩにおいて、第１のキャリア上でＤＬデータ送信を実行しても良い。同様に、基地局は、対応するＤＬスケジューリンググラントが送信されたロングＴＴＩにおいて、又は、対応するＤＬスケジューリンググラントが送信されたロングＴＴＩの直後のロングＴＴＩにおいて、第２のキャリア上でＤＬデータ送信を実行しても良い。
【００６４】
図４は、方法３００の第１の実施形態による、図１に示されるフレーム構造を持つ場合の、ＤＬスケジューリングとデータ送信との関係を示す２つの例を示している。この例は、例示的な目的のためだけに提供されるものであり、本開示のいかなる限定のためでもないことに留意されたい。
【００６５】
この図及び以下の図５−図９では、アイコン
2020005299.tif 000003
は、ガードピリオド（ｇｕａｒｄ  ｐｅｒｉｏｄ、ＧＰ）を表している。アイコン
2020005299.tif 000004
は、ＤＬ制御領域を表している。アイコン
2020005299.tif 000005
は、ＵＬ制御領域を表している。アイコン
2020005299.tif 000006
は、ＤＬ又はＵＬデータ送信のためのデータ送信領域を表している。ＴＴＩのシーケンスは、基地局とユーザ装置との間の送信のためのタイミングを示している。また、図に示される曲線の矢印は、ＤＬスケジューリングとデータ送信との関係を示している。
【００６６】
図４に示されるように、基地局は、各ショートＴＴＩのＤＬ制御領域において、第１のキャリア上のＤＬ送信に対応するＤＬスケジューリンググラントを送信し、また、各ロングＴＴＩのＤＬ制御領域において、第２のキャリア上のＤＬ送信のためのＤＬスケジューリンググラントを送信する。
【００６７】
スケジューリングに対応して、キャリア上のＤＬデータ送信は、対応するＤＬスケジューリンググラントが同じキャリア上で送信されたＴＴＩの直後のＴＴＩ（ロングＴＴＩ及びショートＴＴＩを含む）において、実行されても良い。図４（ａ）に示される例では、基地局は、ショートＴＴＩ０のＤＬ制御領域において、第１のキャリア上のＤＬスケジューリンググラントを送信し、続いて、ショートＴＴＩ１のＤＬデータ送信領域において、第１のキャリア上のＤＬデータ送信を実行しても良い。同様に、基地局は、ロングＴＴＩ０のＤＬ制御領域において、第２のキャリア上のＤＬスケジューリンググラントを送信し、続いて、ロングＴＴＩ１のＤＬデータ送信領域において、第２のキャリア上のＤＬデータ送信を実行しても良い。
【００６８】
代替として、スケジューリングに対応して、キャリア上のＤＬデータ送信は、対応するＤＬスケジューリンググラントが同じキャリア上で送信されたＴＴＩ（ロングＴＴＩ及びショートＴＴＩを含む）において、実行されても良い。図４（ｂ）に示される例では、基地局は、ショートＴＴＩ０のＤＬ制御領域において、第１のキャリア上のＤＬスケジューリンググラントを送信し、続いて、同じショートＴＴＩ０のＤＬデータ送信領域において、第１のキャリア上のＤＬデータ送信を実行しても良い。同様に、基地局は、ロングＴＴＩ０のＤＬ制御領域において、第２のキャリア上のＤＬスケジューリンググラントを送信し、続いて、同じロングＴＴＩ０のＤＬデータ送信領域において、第２のキャリア上のＤＬデータ送信を実行しても良い。
【００６９】
別の代替として、スケジューリングに対応して、第１のキャリア上のＤＬデータ送信は、対応するＤＬスケジューリンググラントが送信されたショートＴＴＩの直後のショートＴＴＩにおいて、実行されても良いし、その一方で、第２のキャリア上のＤＬデータ送信は、対応するＤＬスケジューリンググラントが送信されたロングＴＴＩにおいて、実行されても良い。又は、第１のキャリア上のＤＬデータ送信は、対応するＤＬスケジューリンググラントが送信されたショートＴＴＩにおいて、実行されても良いし、その一方で、第２のキャリア上のＤＬデータ送信は、対応するＤＬスケジューリンググラントが送信されたロングＴＴＩの直後のロングＴＴＩにおいて、実行されても良い。この代替のケースは、図に示されていない。
【００７０】
図５は、方法３００の第１の実施形態による、図２に示されるフレーム構造を持つ場合の、ＤＬスケジューリングとデータ送信との関係を示す別の例を示している。この例は、例示的な目的のためだけに提供されるものであり、本開示のいかなる限定のためでもないことに留意されたい。図５と図４との唯一の違いは、異なるフレーム構造の使用にある。図５では、ＤＬスケジューリングとデータ送信とは、図４を参照して上述したものと同じ関係であるため、これについては、ここでは詳述しない。
【００７１】
方法３００の第２の実施形態では、基地局は、第１のキャリア上のショートＴＴＩのＤＬ制御領域において、第１のキャリア上のデータ送信に対応するＤＬスケジューリンググラントを送信しても良いし、また、第１のキャリア上のショートＴＴＩのＤＬ制御領域において、第２のキャリア上のデータ送信に対応するＤＬスケジューリンググラントを送信しても良い。この実施形態では、第１のキャリア上のＤＬデータ送信は、対応するＤＬスケジューリンググラントが送信されたショートＴＴＩにおいて、又は、対応するＤＬスケジューリンググラントが送信されたショートＴＴＩの直後のショートＴＴＩにおいて、実行されても良い。これに対応して、第２のキャリア上のＤＬデータ送信は、インデックスｎｌｏｎｇのロングＴＴＩにおいて、実行されても良い。インデックスｎｌｏｎｇと、対応するＤＬスケジューリンググラントが送信されたショートＴＴＩのインデックスｎｓｈｏｒｔと、は、ｎｌｏｎｇ＝ｎｓｈｏｒｔ／２の関係を有し、ｎｓｈｏｒｔは偶数である。
【００７２】
図６は、方法３００の第２の実施形態による、図１に示されるフレーム構造を持つ場合の、ＤＬスケジューリングとデータ送信との関係を示す２つの例を示している。この例は、例示的な目的のためだけに提供されるものであり、本開示のいかなる限定のためでもないことに留意されたい。
【００７３】
図６に示されるように、基地局は、ショートＴＴＩのＤＬ制御領域において、第１のキャリア上のＤＬ送信に対応するＤＬスケジューリンググラントを送信しても良いし、第１のキャリア上のショートＴＴＩのＤＬ制御領域において、第２のキャリア上のＤＬ送信に対応するＤＬスケジューリンググラントを送信しても良い。一般に、基地局は、各ショートＴＴＩにおいて、第１のキャリア上のＤＬ送信に対応するＤＬスケジューリンググラントを送信しても良いし、ロングＴＴＩの長さに対するショートＴＴＩの長さの比に応じて、２つ以上のショートＴＴＩ毎に、第２のキャリア上のＤＬ送信に対応するＤＬスケジューリンググラントを送信しても良い。
【００７４】
スケジューリングに対応して、第１のキャリア上のＤＬデータ送信は、第１のキャリア上のＤＬデータ送信に対応するＤＬスケジューリンググラントが送信されたショートＴＴＩの直後のショートＴＴＩにおいて、実行されても良いし、その一方で、第２のキャリア上のＤＬデータ送信は、インデックスｎｌｏｎｇを有するロングＴＴＩにおいて、実行されても良い。インデックスｎｌｏｎｇと、第２のキャリア上のＤＬデータ送信に対応するＤＬスケジューリンググラントが送信されたショートＴＴＩのインデックスｎｓｈｏｒｔと、は、ｎｌｏｎｇ＝ｎｓｈｏｒｔ／２の関係を有し、ｎｓｈｏｒｔは偶数である。図６（ａ）に示される例では、基地局は、ショートＴＴＩ０のＤＬ制御領域において、第１のキャリア上のＤＬデータ送信のためのＤＬスケジューリンググラントを送信し、続いて、ショートＴＴＩ１のＤＬデータ送信領域において、第１のキャリア上のＤＬデータ送信を実行する。その後、基地局は、ショートＴＴＩ１のＤＬ制御領域において、第１のキャリア上の別のＤＬスケジューリンググラントを送信し、続いて、ショートＴＴＩ２のＤＬデータ送信領域において、第１のキャリア上のＤＬデータ送信を実行する。第２のキャリア上のＤＬデータ送信のために、基地局は、ショートＴＴＩ０のＤＬ制御領域において、ＤＬスケジューリンググラントを送信し、ロングＴＴＩ０のＤＬデータ送信領域において、ＤＬデータ送信を実行しても良い。その後、基地局は、ショートＴＴＩ２のＤＬ制御領域において、第２のキャリア上の別のＤＬスケジューリンググラントを送信し、続いて、ロングＴＴＩ１のＤＬデータ送信領域において、第２のキャリア上のＤＬデータ送信を実行しても良い。
【００７５】
当業者であれば、図に示される各「ＴＴＩ」の後の数字は、そのＴＴＩのインデックス（通常は整数）を示すことを理解するであろう。
【００７６】
代替として、スケジューリングに対応して、第１のキャリア上のＤＬデータ送信は、第１のキャリア上のＤＬデータ送信に対応するＤＬスケジューリンググラントが送信されたショートＴＴＩにおいて、実行されても良いし、その一方で、第２のキャリア上のＤＬデータ送信は、インデックスｎｌｏｎｇを有するロングＴＴＩにおいて、実行されても良い。インデックスｎｌｏｎｇと、第２のキャリア上のＤＬデータ送信に対応するＤＬスケジューリンググラントが送信されたショートＴＴＩのインデックスｎｓｈｏｒｔと、は、ｎｌｏｎｇ＝ｎｓｈｏｒｔ／２の関係を有し、ｎｓｈｏｒｔは偶数である。図６（ｂ）に示される例では、基地局は、ショートＴＴＩ０のＤＬ制御領域において、第１のキャリア上のＤＬデータ送信に対応するＤＬスケジューリンググラントを送信し、続いて、同じショートＴＴＩのＤＬデータ送信領域において、第１のキャリア上のＤＬデータ送信を送信する。その後、基地局は、ショートＴＴＩ１のＤＬ制御領域において、第１のキャリア上の別のＤＬスケジューリンググラントを送信し、続いて、同じショートＴＴＩ１のＤＬデータ送信領域において、第１のキャリア上のＤＬデータ送信を送信する。第２のキャリア上のＤＬデータ送信のために、基地局は、ショートＴＴＩ０のＤＬ制御領域において、第１のキャリア上でＤＬスケジューリンググラントを送信し、続いて、ロングＴＴＩ０のＤＬデータ送信領域において、ＤＬデータ送信を送信しても良い。その後、基地局は、ショートＴＴＩ２のＤＬ制御領域において、第１のキャリア上で別のＤＬスケジューリンググラントを送信し、続いて、ロングＴＴＩ１のＤＬデータ送信領域において、第２のキャリア上のＤＬデータ送信を送信しても良い。
【００７７】
図７は、方法３００の第２の実施形態による、図２に示されるフレーム構造を用いる場合の、ＤＬスケジューリングとデータ送信との関係を示す別の例を示している。この例は、例示的な目的のためだけに提供されるものであり、本開示のいかなる限定のためでもないことに留意されたい。図６と図７との唯一の違いは、異なるフレーム構造の使用にある。図７では、ＤＬスケジューリングとデータ送信とは、図６を参照して上述したものと同じ関係であるため、これについては、ここでは詳述しない。
【００７８】
方法３００の第３の実施形態では、基地局は、第２のキャリア上のロングＴＴＩのＤＬ制御領域において、第１のキャリア上のデータ送信に対応するＤＬスケジューリンググラントと、第２のキャリア上のデータ送信に対応するＤＬスケジューリンググラントと、を送信しても良い。この実施形態では、第２のキャリア上のＤＬデータ送信は、対応するＤＬスケジューリンググラントが送信されたロングＴＴＩにおいて、又は、対応するＤＬスケジューリンググラントが送信されたロングＴＴＩの直後のロングＴＴＩにおいて、実行される。これに対応して、第１のキャリア上のＤＬデータ送信は、インデックスｎｓｈｏｒｔを有するショートＴＴＩにおいて、実行される。インデックスｎｓｈｏｒｔと、対応するＤＬスケジューリンググラントが送信されたロングＴＴＩのインデックスｎｌｏｎｇと、は、ｎｌｏｎｇ＝ｆｌｏｏｒ（ｎｓｈｏｒｔ／２）の関係を有し、ｎｓｈｏｒｔは整数である。又は、第１のキャリア上のＤＬデータ送信は、インデックスｎｓｈｏｒｔを有するショートＴＴＩにおいて、実行される。インデックスｎｓｈｏｒｔと、対応するＤＬスケジューリンググラントが送信されたロングＴＴＩのインデックスｎｌｏｎｇと、は、ｎｌｏｎｇ＝ｆｌｏｏｒ（（ｎｓｈｏｒｔ−１）／２）の関係を有し、ｎｓｈｏｒｔは整数である。
【００７９】
図８は、方法３００の第３の実施形態による、図１に示されるフレーム構造を用いた場合の、ＤＬスケジューリングとデータ送信との関係を示す２つの例を示している。この例は、例示的な目的のためだけに提供されるものであり、本開示のいかなる限定のためでもないことに留意されたい。
【００８０】
図８に示されるように、基地局は、第１のキャリア上のロングＴＴＩのＤＬ制御領域において、第２のキャリア上のＤＬ送信に対応するＤＬスケジューリンググラントを送信しても良いし、第１のキャリア上のロングＴＴＩのＤＬ制御領域において、第１のキャリア上のＤＬ送信に対応するＤＬスケジューリンググラントも送信しても良い。
【００８１】
スケジューリングに対応して、図８（ａ）に示されるように、第２のキャリア上のＤＬデータ送信は、第２のキャリア上のＤＬデータ送信に対応するＤＬスケジューリンググラントが実行されたロングＴＴＩの直後のロングＴＴＩにおいて、実行される。第１のキャリア上のＤＬデータ送信は、インデックスｎｓｈｏｒｔを有するショートＴＴＩにおいて、実行される。インデックスｎｓｈｏｒｔと、第１のキャリア上のＤＬデータ送信に対応するＤＬスケジューリンググラントが送信されたロングＴＴＩのインデックスｎｌｏｎｇと、は、ｎｌｏｎｇ＝ｆｌｏｏｒ（ｎｓｈｏｒｔ／２）の関係を有し、ｎｓｈｏｒｔは整数である。
【００８２】
図８（ａ）に示される例では、基地局は、ロングＴＴＩ０のＤＬ制御領域において、第２のキャリア上のＤＬデータ送信に対応するＤＬスケジューリンググラントを送信し、続いて、ロングＴＴＩ１のＤＬデータ送信領域において、第２のキャリア上のＤＬデータ送信を実行する。その後、基地局は、ロングＴＴＩ１のＤＬ制御領域において、別のＤＬスケジューリンググラントを送信し、続いて、ロングＴＴＩ２のＤＬデータ送信領域において、第２のキャリア上のＤＬデータ送信を実行するなどの処理を行う。第１のキャリア上のＤＬデータ送信のために、基地局は、ロングＴＴＩ０のＤＬ制御領域において、ＤＬスケジューリンググラントを送信し、このスケジューリングに対応して、ショートＴＴＩ０及び／又はショートＴＴＩ１のＤＬデータ送信領域において、ＤＬデータ送信を実行しても良い。その後、基地局は、ロングＴＴＩ１のＤＬ制御領域において、別のＤＬスケジューリンググラントを送信し、このスケジューリングに対応して、ショートＴＴＩ２及び／又はショートＴＴＩ３のＤＬデータ送信領域において、第１のキャリア上のＤＬデータ送信を実行するなどの処理を行っても良い。
【００８３】
代替として、図８（ｂ）に示されるように、スケジューリングに対応して、第２のキャリア上のＤＬデータ送信は、第２のキャリア上のＤＬデータ送信に対応するＤＬスケジューリンググラントが送信されたロングＴＴＩにおいて、実行されても良い。第１のキャリア上のＤＬデータ送信は、インデックスｎｓｈｏｒｔを有するショートＴＴＩにおいて、実行される。インデックスｎｓｈｏｒｔと、対応するＤＬスケジューリンググラントが送信されたロングＴＴＩのインデックスｎｌｏｎｇと、は、ｎｌｏｎｇ＝ｆｌｏｏｒ（ｎｓｈｏｒｔ／２）の関係を有し、ｎｓｈｏｒｔは整数である。
【００８４】
図８（ｂ）に示される例では、基地局は、ロングＴＴＩ０のＤＬ制御領域において、第２のキャリア上のＤＬデータ送信に対応するＤＬスケジューリンググラントを送信し、続いて、ロングＴＴＩ０のＤＬデータ送信領域において、ＤＬデータ送信を実行する。その後、基地局は、ロングＴＴＩ１のＤＬ制御領域において、別のＤＬスケジューリンググラントを送信し、続いて、同じロングＴＴＩ１のＤＬデータ送信領域において、第２のキャリア上のＤＬデータ送信を実行するなどの処理を行う。第１のキャリア上のＤＬデータ送信のために、基地局は、ロングＴＴＩ０のＤＬ制御領域において、ＤＬスケジューリンググラントを送信し、このスケジューリングに対応して、ショートＴＴＩ０及び／又はショートＴＴＩ１のＤＬデータ送信領域において、第１のキャリア上のＤＬデータ送信を実行しても良い。その後、基地局は、ロングＴＴＩ１のＤＬ制御領域において、別のＤＬスケジューリンググラントを送信し、このスケジューリングに対応して、ショートＴＴＩ２及び／又はショートＴＴＩ３のＤＬデータ送信領域において、第１のキャリア上のＤＬデータ送信を実行するなどの処理を行っても良い。
【００８５】
図９は、方法３００の第３の実施形態による、図２に示されるフレーム構造を用いた場合の、ＤＬスケジューリングとデータ送信との関係を示す別の例を示している。この例は、例示的な目的のためだけに提供されるものであり、本開示のいかなる限定のためでもないことに留意されたい。図９と図８との違いは、異なるフレーム構造の使用及び第１のキャリア上のＤＬデータ送信にある。
【００８６】
第２のキャリア上のＤＬスケジューリングとデータ送信とは、図４を参照して上述したものと同じ関係であるため、これについては、ここでは詳述しない。以下の説明では、第１のキャリア上のＤＬスケジューリングとデータ送信との関係にのみフォーカスする。
【００８７】
図９に示されるように、基地局は、インデックスｎｌｏｎｇを有するロングＴＴＩのＤＬ制御領域において、第１のキャリア上のＤＬ送信に対応するＤＬスケジューリンググラントを送信しても良い。
【００８８】
スケジューリングに対応して、第１のキャリア上のＤＬデータ送信は、インデックスｎｓｈｏｒｔを有するショートＴＴＩにおいて、実行されても良い。インデックスｎｓｈｏｒｔと、対応するＤＬスケジューリンググラントが送信されたロングＴＴＩのインデックスｎｌｏｎｇと、は、ｎｌｏｎｇ＝ｆｌｏｏｒ（（ｎｓｈｏｒｔ−１）／２）の関係を有し、ｎｓｈｏｒｔは整数である。
【００８９】
例えば、図９に示されるように、基地局は、第２のキャリア上のロングＴＴＩ０のＤＬ制御領域において、第１のキャリア上のＤＬデータ送信に対応するＤＬスケジューリンググラントを送信し、このスケジューリングに対応して、ショートＴＴＩ１及び／又はショートＴＴＩ２のＤＬデータ送信領域において、第１のキャリア上のＤＬデータ送信を実行しても良い。その後、基地局は、第２のキャリア上のロングＴＴＩ１のＤＬ制御領域において、別のＤＬスケジューリンググラントを送信し、このスケジューリングに対応して、ショートＴＴＩ３及び／又はショートＴＴＩ４のＤＬデータ送信領域において、第１のキャリア上のＤＬデータ送信を実行するなどの処理を行っても良い。
【００９０】
図１０は、本開示の幾つかの実施形態による、ＨＡＲＱフィードバックを送信するための方法１０００のフローチャートを示している。方法１０００は、ショートＴＴＩが適用される少なくとも１つのコンポーネントキャリア（以下、「第１のキャリア」と称する）と、ロングＴＴＩが適用される少なくとも１つのコンポーネントキャリア（以下、「第２のキャリア」と称する）と、のキャリアアグリゲーションをサポートする無線通信システムにおいて、基地局へＨＡＲＱフィードバックを送信するためにユーザ装置で実行される。ロングＴＴＩ及びショートＴＴＩの各々は、ＤＬ制御領域、ＵＬ制御領域、及びデータ送信領域を含んでも良いが、必ずしもこの順序である必要はない。一例として、ＤＬ制御領域は、基地局からＤＬスケジューリンググラント又はＵＬスケジューリンググラントを受信するためにユーザ装置によって使用されても良い。ＵＬ制御領域は、ＤＬデータ送信のためのＨＡＲＱフィードバックを送信するためにユーザ装置によって使用されても良い。データ送信領域は、基地局からＤＬデータ送信を受信するためにユーザ装置によって使用されても良い。
【００９１】
図示されるように、方法１０００は、ブロック１０１０で開始され、ブロック１０１０では、ユーザ装置は、第１のキャリア上のショートＴＴＩのデータ送信領域において、及び、第２のキャリア上のロングＴＴＩのデータ送信領域において、基地局からのＤＬデータ送信を受信する。
【００９２】
ブロック１０２０では、ユーザ装置は、第１のキャリア上のショートＴＴＩのＵＬ制御領域において、又は、第２のキャリア上のロングＴＴＩのＵＬ制御領域において、又は、第１のキャリア上のショートＴＴＩ及び第２のキャリア上のロングＴＴＩの両方のＵＬ制御領域において、受信されたＤＬデータ送信のためのＨＡＲＱフィードバックを、基地局へ送信する。
【００９３】
方法１０００の第１の実施形態では、ユーザ装置は、ＤＬデータ送信が受信されたショートＴＴＩの直後の又は２つ後のショートＴＴＩにおいて、第１のキャリア上で受信されたＤＬデータ送信のためのＨＡＲＱフィードバックを、第１のキャリア上で、送信しても良い。
【００９４】
同様に、ユーザ装置は、ＤＬデータ送信が受信されたロングＴＴＩの直後の又は２つ後のロングＴＴＩにおいて、第２のキャリア上で受信されたＤＬデータ送信のためのＨＡＲＱフィードバックを、第２のキャリア上で、送信しても良い。
【００９５】
図１１は、方法１０００の第１の実施形態による、図１に示されるフレーム構造を用いた場合の、ＤＬデータ送信とＨＡＲＱフィードバック送信との関係を示す２つの例を示している。
【００９６】
図１１（ａ）に示される例では、ユーザ装置は、ＤＬデータ送信が受信されたショートＴＴＩの直後のショートＴＴＩにおいて、第１のキャリア上で受信されたＤＬデータ送信のためのＨＡＲＱフィードバックを送信し、また、ＤＬデータ送信が受信されたロングＴＴＩの直後のロングＴＴＩにおいて、第２のキャリア上で受信されたＤＬデータ送信のためのＨＡＲＱフィードバックを送信する。
【００９７】
具体的には、図示されるように、ユーザ装置は、ショートＴＴＩ０において、基地局から第１のキャリア上でＤＬデータ送信を受信した場合、続いて、ショートＴＴＩ１において、受信されたＤＬデータ送信のためのＨＡＲＱフィードバックを送信しても良い。その後、ユーザ装置は、ショートＴＴＩ１において、基地局から第１のキャリア上で次のＤＬデータ送信を受信した場合、続いて、ショートＴＴＩ２において、受信されたＤＬデータ送信のためのＨＡＲＱフィードバックを送信するなどの処理を行っても良い。
【００９８】
同様に、ユーザ装置は、ロングＴＴＩ０において、基地局から第２のキャリア上でＤＬデータ送信を受信した場合、続いて、ロングＴＴＩ１において、受信されたＤＬデータ送信のためのＨＡＲＱフィードバックを送信しても良い。その後、ユーザ装置は、ロングＴＴＩ１において、基地局から第２のキャリア上で次のＤＬデータ送信を受信した場合、続いて、ロングＴＴＩ２において、受信されたＤＬデータ送信のためのＨＡＲＱフィードバックを送信するなどの処理を行っても良い。
【００９９】
図１１（ｂ）に示される例では、ユーザ装置は、ＤＬデータ送信が受信されたショートＴＴＩの２つ後のショートＴＴＩにおいて、第１のキャリア上で受信されたＤＬデータ送信のためのＨＡＲＱフィードバックを送信し、ＤＬデータ送信が受信されたロングＴＴＩの２つ後のロングＴＴＩにおいて、第２のキャリア上で受信されたＤＬデータ送信のためのＨＡＲＱフィードバックを送信する。
【０１００】
具体的には、図示されるように、ユーザ装置は、ショートＴＴＩ０において、基地局から第１のキャリア上でＤＬデータ送信を受信した場合、続いて、ショートＴＴＩ２において、受信されたＤＬデータ送信のためのＨＡＲＱフィードバックを送信しても良い。その後、ユーザ装置は、ショートＴＴＩ１において、基地局から第１のキャリア上で次のＤＬデータ送信を受信した場合、続いて、ショートＴＴＩ３において、受信されたＤＬデータ送信のためのＨＡＲＱフィードバックを送信するなどの処理を行っても良い。
【０１０１】
同様に、ユーザ装置は、ロングＴＴＩ０において、基地局から第２のキャリア上でＤＬデータ送信を受信した場合、続いて、ロングＴＴＩ２において、受信されたＤＬデータ送信のためのＨＡＲＱフィードバックを送信しても良い。その後、ユーザ装置は、ロングＴＴＩ１において、基地局から第１のキャリア上で次のＤＬデータ送信を受信した場合、続いて、ロングＴＴＩ３において、受信されたＤＬデータ送信のためのＨＡＲＱフィードバックを送信するなどの処理を行っても良い。
【０１０２】
方法１０００の第２の実施形態では、ユーザ装置は、ＤＬデータ送信が受信されたショートＴＴＩの直後の又は２つ後のショートＴＴＩにおいて、第１のキャリア上で受信されたＤＬデータ送信のために、第１のキャリア上でＨＡＲＱフィードバックを送信しても良い。
【０１０３】
第２のキャリア上で受信されたＤＬデータ送信のためのＨＡＲＱフィードバックをユーザ装置によって送信するために、以下のような２つの代替のオプションがある。
・ユーザ装置は、インデックスｎｓｈｏｒｔのショートＴＴＩにおいて、第２のキャリア上で受信されたＤＬデータ送信のためのＨＡＲＱフィードバックを、第１のキャリア上で、送信しても良い。インデックスｎｓｈｏｒｔと、ＤＬデータ送信が受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数である。又は、
・ユーザ装置は、インデックスｎｓｈｏｒｔのショートＴＴＩにおいて、第２のキャリア上で受信されたＤＬデータ送信のためのＨＡＲＱフィードバックを、第１のキャリア上で、送信しても良い。インデックスｎｓｈｏｒｔと、ＤＬデータ送信が受信されたロングＴＴＩのインデックスｎｌｏｎｇと、は、ｎｓｈｏｒｔ＝２＊（ｎｌｏｎｇ＋１）の関係を有し、ｎｌｏｎｇは整数である。
【０１０４】
図１２は、方法１０００の第２の実施形態による、図１に示されるフレーム構造を用いる場合の、ＤＬデータ送信とＨＡＲＱフィードバック送信との関係を示す２つの例を示している。
【０１０５】
図１２（ａ）に示される例では、ユーザ装置は、ＤＬデータ送信が受信されたショートＴＴＩの２つ後のショートＴＴＩにおいて、第１のキャリア上で受信されたＤＬデータ送信のためのＨＡＲＱフィードバックを送信し、インデックスｎｓｈｏｒｔを有するショートＴＴＩにおいて、第２のキャリア上で受信されたＤＬデータ送信のためのＨＡＲＱフィードバックを送信する。インデックスｎｓｈｏｒｔと、ＤＬデータ送信が受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数である。
【０１０６】
具体的には、図示されるように、ユーザ装置は、ショートＴＴＩ０において、基地局から第１のキャリア上でＤＬデータ送信を受信した場合、続いて、ショートＴＴＩ２において、受信されたＤＬデータ送信のためのＨＡＲＱフィードバックを送信しても良い。その後、ユーザ装置は、ショートＴＴＩ１において、基地局から第１のキャリア上で次のＤＬデータ送信を受信した場合、続いて、ショートＴＴＩ３において、受信されたＤＬデータ送信のためのＨＡＲＱフィードバックを送信するなどの処理を行っても良い。
【０１０７】
第２のキャリア上のＤＬデータ送信のために、ユーザ装置は、ロングＴＴＩ０において、基地局から第２のキャリア上でＤＬデータ送信を受信した場合、続いて、ショートＴＴＩ３において、受信されたＤＬデータ送信のためのＨＡＲＱフィードバックを送信しても良い。その後、ユーザ装置は、ロングＴＴＩ１において、基地局から第２のキャリア上で次のＤＬデータ送信を受信した場合、続いて、ショートＴＴＩ５において、受信されたＤＬデータ送信のためのＨＡＲＱフィードバックを送信するなどの処理を行っても良い。
【０１０８】
図１２（ｂ）に示される例では、ユーザ装置は、ＤＬデータ送信が受信されたＴＴＩの直後のショートＴＴＩにおいて、第１のキャリア上で受信されたＤＬデータ送信のためのＨＡＲＱフィードバックを送信し、インデックスｎｓｈｏｒｔを有するショートＴＴＩにおいて、第２のキャリア上で受信されたＤＬデータ送信のためのＨＡＲＱフィードバックを送信する。インデックスｎｓｈｏｒｔと、ＤＬデータ送信が受信されたロングＴＴＩのインデックスｎｌｏｎｇと、は、ｎｓｈｏｒｔ＝２＊（ｎｌｏｎｇ＋１）の関係を有し、ｎｌｏｎｇは整数である。
【０１０９】
具体的には、図示されるように、ユーザ装置は、ショートＴＴＩ０において、基地局から第１のキャリア上でＤＬデータ送信を受信した場合、続いて、ショートＴＴＩ１において、受信されたＤＬデータ送信のためのＨＡＲＱフィードバックを送信しても良い。その後、ユーザ装置は、ショートＴＴＩ１において、基地局から第１のキャリア上で次のＤＬデータ送信を受信した場合、続いて、ショートＴＴＩ２において、受信されたＤＬデータ送信のためのＨＡＲＱフィードバックを送信するなどの処理を行っても良い。
【０１１０】
第２のキャリア上のＤＬデータ送信のために、ユーザ装置は、ロングＴＴＩ０において、基地局から第２のキャリア上でＤＬデータ送信を受信した場合、続いて、ショートＴＴＩ２において、受信されたＤＬデータ送信のためのＨＡＲＱフィードバックを送信しても良い。その後、ユーザ装置は、ロングＴＴＩ１において、基地局から第２のキャリア上で次のＤＬデータ送信を受信した場合、続いて、ショートＴＴＩ２において、受信されたＤＬデータ送信のためのＨＡＲＱフィードバックを、第１のキャリア上で、送信するなどの処理を行っても良い。
【０１１１】
方法１０００の第３の実施形態では、ユーザ装置は、ＤＬデータ送信が受信されたショートＴＴＩと同じショートＴＴＩにおいて、第１のキャリア上で受信されたＤＬデータ送信のためのＨＡＲＱフィードバックを、第１のキャリア上で、送信しても良い。
【０１１２】
第２のキャリア上で受信されたＤＬデータ送信のためのＨＡＲＱフィードバックをユーザ装置によって送信するために、以下のような２つの代替のオプションがある。
・ユーザ装置は、ＤＬデータ送信が受信されたロングＴＴＩにおいて、第２のキャリア上で受信されたＤＬデータ送信のためのＨＡＲＱフィードバックを、第２のキャリア上で、送信しても良い。又は、
・ユーザ装置は、インデックスｎｓｈｏｒｔを有するショートＴＴＩにおいて、第２のキャリア上で受信されたＤＬデータ送信のためのＨＡＲＱフィードバックを、第１のキャリア上で、送信しても良い。インデックスｎｓｈｏｒｔと、ＤＬデータ送信が受信されたロングＴＴＩのインデックスｎｌｏｎｇと、は、ｎｓｈｏｒｔ＝２＊ｎｌｏｎｇ＋１の関係を有し、ｎｌｏｎｇは整数である。
【０１１３】
図１３は、方法１０００の第３の実施形態による、図２に示されるフレーム構造を用いた場合の、ＤＬデータ送信とＨＡＲＱフィードバック送信との関係を示す例を示している。
【０１１４】
図１３に示されるように、ユーザ装置は、ＤＬデータ送信が受信されたショートＴＴＩと同じショートＴＴＩにおいて、第１のキャリア上で受信されたＤＬデータ送信のためのＨＡＲＱフィードバックを送信し、ＤＬデータ送信が受信されたロングＴＴＩと同じロングＴＴＩにおいて、第２のキャリア上で受信されたＤＬデータ送信のためのＨＡＲＱフィードバックを送信する。このようにして、データ送信とＨＡＲＱフィードバックとの間の遅延を最小化することができる。
【０１１５】
具体的には、図示されるように、ユーザ装置は、ショートＴＴＩ０において、基地局から第１のキャリア上でＤＬデータ送信を受信した場合、続いて、同じショートＴＴＩ０において、受信されたＤＬデータ送信のためのＨＡＲＱフィードバックを送信しても良い。その後、ユーザ装置は、ショートＴＴＩ１において、基地局から第１のキャリア上で次のＤＬデータ送信を受信した場合、続いて、同じショートＴＴＩ１において、受信されたＤＬデータ送信のためのＨＡＲＱフィードバックを送信するなどの処理を行っても良い。
【０１１６】
同様に、ユーザ装置は、ロングＴＴＩ０において、基地局から第２のキャリア上でＤＬデータ送信を受信した場合、続いて、同じロングＴＴＩ０において、受信されたＤＬデータ送信のためのＨＡＲＱフィードバックを送信しても良い。その後、ユーザ装置は、ロングＴＴＩ１において、基地局から第２のキャリア上で次のＤＬデータ送信を受信した場合、続いて、同じロングＴＴＩ１において、受信されたＤＬデータ送信のためのＨＡＲＱフィードバックを送信するなどの処理を行っても良い。
【０１１７】
図１４は、方法１０００の第３の実施形態による、図２に示されるフレーム構造を用いた場合の、ＤＬデータ送信とＨＡＲＱフィードバック送信との関係の別の例を示している。
【０１１８】
図示されるように、ユーザ装置は、ＤＬデータ送信が受信されたショートＴＴＩと同じショートＴＴＩにおいて、第１のキャリア上で受信されたＤＬデータ送信のためのＨＡＲＱフィードバックを送信し、インデックスｎｓｈｏｒｔを有するショートＴＴＩにおいて、第２のキャリア上で受信されたＤＬデータ送信のためのＨＡＲＱフィードバックを、第１のキャリア上で、送信する。インデックスｎｓｈｏｒｔと、ＤＬデータ送信が受信されたロングＴＴＩのインデックスｎｌｏｎｇと、は、ｎｓｈｏｒｔ＝２＊ｎｌｏｎｇ＋１の関係を有し、ｎｌｏｎｇは整数である。
【０１１９】
具体的には、図示されるように、ユーザ装置は、ショートＴＴＩ０において、基地局から第１のキャリア上でＤＬデータ送信を受信した場合、続いて、同じショートＴＴＩ０において、受信されたＤＬデータ送信のためのＨＡＲＱフィードバックを送信しても良い。その後、ユーザ装置は、ショートＴＴＩ１において、基地局から第１のキャリア上で次のＤＬデータ送信を受信した場合、続いて、同じショートＴＴＩ１において、受信されたＤＬデータ送信のためのＨＡＲＱフィードバックを送信するなどの処理を行っても良い。
【０１２０】
第２のキャリア上のＤＬデータ送信のために、ユーザ装置は、ロングＴＴＩ０において、基地局から第２のキャリア上でＤＬデータ送信を受信した場合、続いて、ショートＴＴＩ１において、受信されたＤＬデータ送信のためのＨＡＲＱフィードバックを、第１のキャリア上で、送信しても良い。その後、ユーザ装置は、ロングＴＴＩ１において、基地局から第２のキャリア上で次のＤＬデータ送信を受信した場合、続いて、ショートＴＴＩ３において、受信されたＤＬデータ送信のためのＨＡＲＱフィードバックを、第１のキャリア上で、送信するなどの処理を行っても良い。
【０１２１】
方法１０００の第４の実施形態では、ユーザ装置は、ＤＬデータ送信が受信されたロングＴＴＩの直後の又は２つ後のロングＴＴＩにおいて、第２のキャリア上で受信されたＤＬデータ送信のためのＨＡＲＱフィードバックを、第２のキャリア上で、送信し、また、インデックスｎｌｏｎｇを有するロングＴＴＩにおいて、第１のキャリア上で受信されたＤＬデータ送信のためのＨＡＲＱフィードバックを、第２のキャリア上で、送信しても良い。インデックスｎｌｏｎｇと、ＤＬデータ送信が受信されたショートＴＴＩのインデックスｎｓｈｏｒｔと、は、ｎｌｏｎｇ＝ｆｌｏｏｒ（ｎｓｈｏｒｔ／２）＋１の関係を有し、ｎｓｈｏｒｔは整数である。
【０１２２】
図１５は、方法１０００の第４の実施形態による、図１に示されるフレーム構造を用いた場合の、ＤＬデータ送信とＨＡＲＱフィードバック送信との関係を示す２つの例を示している。
【０１２３】
図１５（ａ）に示される例では、ユーザ装置は、ＤＬデータ送信が受信されたロングＴＴＩの直後のロングＴＴＩにおいて、第２のキャリア上で受信されたＤＬデータ送信のためのＨＡＲＱフィードバックを送信し、また、インデックスｎｌｏｎｇを有するロングＴＴＩにおいて、第１のキャリア上で受信されたＤＬデータ送信のためのＨＡＲＱフィードバックを送信する。インデックスｎｌｏｎｇと、ＤＬデータ送信が受信されたショートＴＴＩのインデックスｎｓｈｏｒｔと、は、ｎｌｏｎｇ＝ｆｌｏｏｒ（ｎｓｈｏｒｔ／２）＋１の関係を有し、ｎｌｏｎｇは整数である。
【０１２４】
具体的には、図示されるように、ユーザ装置は、ショートＴＴＩ０又はＴＴＩ１において、基地局から第１のキャリア上でＤＬデータ送信を受信した場合、続いて、ロングＴＴＩ１において、受信されたＤＬデータ送信のためのＨＡＲＱフィードバックを送信しても良い。その後、ユーザ装置は、ショートＴＴＩ２又はＴＴＩ３において、基地局から第１のキャリア上で次のＤＬデータ送信を受信した場合、続いて、ロングＴＴＩ２において、受信されたＤＬデータ送信のためのＨＡＲＱフィードバックを送信するなどの処理を行っても良い。
【０１２５】
第２のキャリア上のＤＬ送信のために、ユーザ装置は、ロングＴＴＩ０において、基地局から第２のキャリア上でＤＬデータ送信を受信した場合、続いて、ロングＴＴＩ１において、受信されたＤＬデータ送信のためのＨＡＲＱフィードバックを送信しても良い。その後、ユーザ装置は、ロングＴＴＩ１において、基地局から第２のキャリア上で次のＤＬデータ送信を受信した場合、続いて、ロングＴＴＩ２において、受信されたＤＬデータ送信のためのＨＡＲＱフィードバックを送信するなどの処理を行っても良い。
【０１２６】
図１５（ｂ）に示される例では、ユーザ装置は、ＤＬデータ送信が受信されたロングＴＴＩの２つ後のロングＴＴＩにおいて、第２のキャリア上で受信されたＤＬデータ送信のためのＨＡＲＱフィードバックを、第２のキャリア上で、送信し、また、インデックスｎｌｏｎｇを有するロングＴＴＩにおいて、第１のキャリア上で受信されたＤＬデータ送信のためのＨＡＲＱフィードバックを、第２のキャリア上で、送信する。インデックスｎｌｏｎｇと、ＤＬデータ送信が受信されたショートＴＴＩのインデックスｎｓｈｏｒｔと、は、ｎｌｏｎｇ＝ｆｌｏｏｒ（ｎｓｈｏｒｔ／２）＋１の関係を有し、ｎｌｏｎｇは整数である。
【０１２７】
具体的には、図示されるように、ユーザ装置は、ショートＴＴＩ０又はショートＴＴＩ１において、基地局から第１のキャリア上でＤＬデータ送信を受信した場合、続いて、ロングＴＴＩ１において、受信されたＤＬデータ送信のためのＨＡＲＱフィードバックを送信しても良い。その後、ユーザ装置は、ショートＴＴＩ２又はＴＴＩ３において、基地局から第１のキャリア上で次のＤＬデータ送信を受信した場合、続いて、ロングＴＴＩ２において、受信されたＤＬデータ送信のためのＨＡＲＱフィードバックを送信するなどの処理を行っても良い。
【０１２８】
第２のキャリア上のＤＬデータ送信のために、ユーザ装置は、ロングＴＴＩ０において、基地局から第２のキャリア上でＤＬデータ送信を受信した場合、続いて、ロングＴＴＩ２において、受信されたＤＬデータ送信のためのＨＡＲＱフィードバックを、第２のキャリア上で、送信しても良い。その後、ユーザ装置は、ロングＴＴＩ１において、基地局から第２のキャリア上で次のＤＬデータ送信を受信した場合、続いて、ロングＴＴＩ３において、受信されたＤＬデータ送信のためのＨＡＲＱフィードバックを、第２のキャリア上で、送信するなどの処理を行っても良い。
【０１２９】
方法１０００の第５の実施形態では、ユーザ装置は、ＤＬデータ送信が受信されたロングＴＴＩにおいて、第２のキャリア上で受信されたＤＬデータ送信のためのＨＡＲＱフィードバックを、第２のキャリア上で、送信し、また、インデックスｎｌｏｎｇのロングＴＴＩにおいて、第１のキャリア上で受信されたＤＬデータ送信のためのＨＡＲＱフィードバックを、第２のキャリア上で、送信する。インデックスｎｌｏｎｇと、ＤＬデータ送信が受信されたショートＴＴＩのインデックスｎｓｈｏｒｔと、は、ｎｌｏｎｇ＝ｆｌｏｏｒ（（ｎｓｈｏｒｔ−１）／２）＋１の関係を有し、ｎｓｈｏｒｔは整数である。
【０１３０】
図１６は、方法１０００の第５の実施形態による、図２に示されるフレーム構造を用いた場合の、ＤＬデータ送信とＨＡＲＱフィードバック送信との関係を示す例を示している。
【０１３１】
図示されるように、ユーザ装置は、ＤＬデータ送信が受信されたロングＴＴＩと同じロングＴＴＩにおいて、第２のキャリア上で受信されたＤＬデータ送信のためのＨＡＲＱフィードバックを送信し、また、インデックスｎｌｏｎｇを有するロングＴＴＩにおいて、第１のキャリア上で受信されたＤＬデータ送信のためのＨＡＲＱフィードバックを送信する。インデックスｎｌｏｎｇと、ＤＬデータ送信が受信されたショートＴＴＩのインデックスｎｓｈｏｒｔと、は、ｎｌｏｎｇ＝ｆｌｏｏｒ（（ｎｓｈｏｒｔ−１）／２）＋１の関係を有し、ｎｌｏｎｇは整数である。
【０１３２】
具体的には、図示されるように、ユーザ装置は、ショートＴＴＩ０において、基地局から第１のキャリア上でＤＬデータ送信を受信した場合、続いて、ロングＴＴＩ０において、受信されたＤＬデータ送信のためのＨＡＲＱフィードバックを、第２のキャリア上で、送信しても良い。その後、ユーザ装置は、ショートＴＴＩ１又はＴＴＩ２において、基地局から第１のキャリア上で次のＤＬデータ送信を受信した場合、続いて、ロングＴＴＩ１において、受信されたＤＬデータ送信のためのＨＡＲＱフィードバックを、第２のキャリア上で、送信するなどの処理を行っても良い。
【０１３３】
第２のキャリア上のＤＬデータ送信のために、ユーザ装置は、ロングＴＴＩ０において、基地局から第２のキャリア上でＤＬデータ送信を受信した場合、続いて、同じロングＴＴＩ０において、受信されたＤＬデータ送信のためのＨＡＲＱフィードバックを送信しても良い。その後、ユーザ装置は、ロングＴＴＩ１において、基地局から第２のキャリア上で次のＤＬデータ送信を受信した場合、続いて、同じロングＴＴＩ１において、受信されたＤＬデータ送信のためのＨＡＲＱフィードバックを送信するなどの処理を行っても良い。
【０１３４】
図１１−図１６に示される例は、例示的な目的のためだけに提供されるものであり、本開示のいかなる限定のためでもないことに留意されたい。
【０１３５】
図１７は、本開示の幾つかの実施形態による、データ送信のための方法１７００のフローチャートを示している。方法１７００は、ショートＴＴＩが適用される少なくとも１つのコンポーネントキャリア（以下、「第１のキャリア」と称する）と、ロングＴＴＩが適用される少なくとも１つのコンポーネントキャリア（以下、「第２のキャリア」と称する）と、のキャリアアグリゲーションをサポートする無線通信システムにおいて、基地局へのデータ送信を実行するためにユーザ装置で実行される。ロングＴＴＩ及びショートＴＴＩの各々は、ＤＬ制御領域、ＵＬ制御領域、及びデータ送信領域を含んでも良いが、必ずしもこの順序である必要はない。一例として、ＤＬ制御領域は、ＵＬスケジューリンググラントを受信するためにユーザ装置によって使用されても良い。ＵＬ制御領域は、ＤＬデータ送信のためのＨＡＲＱフィードバックを送信するためにユーザ装置によって使用されても良い。データ送信領域は、それぞれのスケジューリンググラントに従ってＵＬデータ送信を送信するためにユーザ装置によって使用されても良い。
【０１３６】
図示されるように、方法１７００は、ブロック１７１０で開始され、ブロック１７１０では、ユーザ装置は、第１のキャリア上のショートＴＴＩのＤＬ制御領域において、又は、第２のキャリア上のロングＴＴＩのＤＬ制御領域において、又は、第１のキャリア上のショートＴＴＩ及び第２のキャリア上のロングＴＴＩの両方のＤＬ制御領域において、基地局へのデータ送信のための少なくとも１つのＵＬスケジューリンググラントを受信する。
【０１３７】
ブロック１７２０では、ユーザ装置は、少なくとも１つのＵＬスケジューリンググラントによって示されるように、第１のキャリア上のショートＴＴＩのデータ送信領域において、及び、第２のキャリア上のロングＴＴＩのデータ送信領域において、基地局へのＵＬデータ送信を実行する。
【０１３８】
方法１７００の第１の実施形態では、ユーザ装置は、第１のキャリア上のショートＴＴＩのＤＬ制御領域において、第１のキャリア上のデータ送信のためのＵＬスケジューリンググラントを受信しても良いし、第２のキャリア上のロングＴＴＩのＤＬ制御領域において、第２のキャリア上のデータ送信のためのＵＬスケジューリンググラントを受信しても良い。この実施形態では、ユーザ装置は、対応するＵＬスケジューリンググラントが受信されたショートＴＴＩの直後のショートＴＴＩにおいて、第１のキャリア上でＵＬデータ送信を実行し、対応するＵＬスケジューリンググラントが受信されたロングＴＴＩの直後のロングＴＴＩにおいて、第２のキャリア上でＵＬデータ送信を実行しても良い。
【０１３９】
図１８は、方法１７００の第１の実施形態による、図１に示されるフレーム構造を用いた場合の、ＵＬスケジューリングとＵＬデータ送信との関係を示す例を示している。
【０１４０】
この図及び以下の図１９−図２３において、アイコン
2020005299.tif 000007
は、ガードピリオドを表している。アイコン
2020005299.tif 000008
は、ＤＬ制御領域を表している。アイコン
2020005299.tif 000009
は、ＵＬ制御領域を表している。アイコン
2020005299.tif 000010
は、ＤＬ又はＵＬデータ送信のためのデータ送信領域を表している。ＴＴＩのシーケンスは、基地局とユーザ装置との間の送信のためのタイミングを示している。また、図に示される曲線の矢印は、ＵＬスケジューリングとＵＬデータ送信との関係を示している。
【０１４１】
図１８に示されるように、ユーザ装置は、ショートＴＴＩ０において、第１のキャリア上のＵＬデータ送信のためのＵＬスケジューリンググラントを受信した場合、続いて、ショートＴＴＩ１において、第１のキャリア上のＵＬデータ送信を実行しても良い。その後、ユーザ装置は、ショートＴＴＩ１において、第１のキャリア上のＵＬデータ送信のためのＵＬスケジューリンググラントを受信した場合、続いて、ショートＴＴＩ２において、第１のキャリア上のＵＬデータ送信を実行するなどの処理を行っても良い。
【０１４２】
同様に、ユーザ装置は、ロングＴＴＩ０において、第２のキャリア上のＵＬデータ送信のためのＵＬスケジューリンググラントを受信した場合、続いて、ロングＴＴＩ１において、第２のキャリア上のＵＬデータ送信を実行しても良い。その後、ユーザ装置は、ロングＴＴＩ１において、第２のキャリア上のＵＬデータ送信のためのＵＬスケジューリンググラントを受信した場合、続いて、ロングＴＴＩ２において、第２のキャリア上のＵＬデータ送信を実行しても良い。
【０１４３】
図１９は、方法１７００の第１の実施形態による、図２に示されるフレーム構造を用いる場合の、ＵＬスケジューリングとＵＬデータ送信との関係を示す別の例を示している。図１８と図１９との唯一の違いは、異なるフレーム構造の使用にある。図１９では、ＵＬスケジューリングとＵＬデータ送信とは、図１８を参照して上述したものと同じ関係であるため、これについては、ここでは詳述しない。
【０１４４】
方法１７００の第２の実施形態では、ユーザ装置は、第１のキャリア上のショートＴＴＩのＤＬ制御領域において、第１のキャリア上のデータ送信のためのＵＬスケジューリンググラントを受信しても良いし、第１のキャリア上のショートＴＴＩのＤＬ制御領域において、第２のキャリア上のデータ送信のためのＵＬスケジューリンググラントを受信しても良い。一般に、ユーザ装置は、ロングＴＴＩの長さに対するショートＴＴＩの長さの比に応じて、各ショートＴＴＩにおいて、第１のキャリア上のＵＬ送信のためのＵＬスケジューリンググラントを受信し、２つ以上のショートＴＴＩ毎に、第２のキャリア上のＵＬ送信のためのＵＬスケジューリンググラントを受信する。
【０１４５】
受信されたＵＬスケジューリンググラントに従って、ユーザ装置は、対応するＵＬスケジューリンググラントが受信されたショートＴＴＩの直後のショートＴＴＩにおいて、第１のキャリア上のＵＬデータ送信を実行しても良い。また、ユーザ装置は、インデックスｎｌｏｎｇを有するロングＴＴＩにおいて、第２のキャリア上のＵＬデータ送信を実行しても良い。インデックスｎｌｏｎｇと、対応するＵＬスケジューリンググラントが受信されたショートＴＴＩのインデックスｎｓｈｏｒｔと、は、ｎｌｏｎｇ＝ｎｓｈｏｒｔ／２の関係を有し、ｎｓｈｏｒｔは偶数である。又は、インデックスｎｌｏｎｇと、対応するＵＬスケジューリンググラントが受信されたショートＴＴＩのインデックスｎｓｈｏｒｔと、は、ｎｌｏｎｇ＝１＋ｎｓｈｏｒｔ／２の関係を有し、ｎｓｈｏｒｔは偶数である。
【０１４６】
図２０は、方法１７００の第２の実施形態による、図１に示されるフレーム構造を用いた場合の、ＵＬスケジューリングとＵＬデータ送信との関係を示す２つの例を示している。
【０１４７】
図示されるように、ユーザ装置は、ショートＴＴＩ０において、第１のキャリア上のＵＬデータ送信のためのＵＬスケジューリンググラントを受信した場合、続いて、ショートＴＴＩ１において、第１のキャリア上のＵＬデータ送信を実行する。その後、ユーザ装置は、ショートＴＴＩ１において、第１のキャリア上のＵＬデータ送信のためのＵＬスケジューリンググラントを受信した場合、続いて、ショートＴＴＩ２において、第１のキャリア上のＵＬデータ送信を実行するなどの処理を行う。
【０１４８】
第２のキャリア上のＵＬデータ送信のために、図２０（ａ）の例では、ユーザ装置は、ショートＴＴＩ０において、第２のキャリア上のＵＬデータ送信のためのＵＬスケジューリンググラントを受信した場合、続いて、ロングＴＴＩ０において、第２のキャリア上のＵＬデータ送信を実行する。その後、ユーザ装置は、ショートＴＴＩ２において、第２のキャリア上のＵＬデータ送信のためのＵＬスケジューリンググラントを受信した場合、続いて、ロングＴＴＩ１において、第２のキャリア上のＵＬデータ送信を実行する。
【０１４９】
図２０（ｂ）に示される例では、ユーザ装置は、ショートＴＴＩ０において、第２のキャリア上のＵＬデータ送信のためのＵＬスケジューリンググラントを受信した場合、続いて、ロングＴＴＩ１において、第２のキャリア上のＵＬデータ送信を実行する。その後、ユーザ装置は、ショートＴＴＩ２において、第２のキャリア上のＵＬデータ送信のためのＵＬスケジューリンググラントを受信した場合、続いて、ロングＴＴＩ２において、第２のキャリア上のＵＬデータ送信を実行する。
【０１５０】
図２１は、方法１７００の第２の実施形態による、図２に示されるフレーム構造を用いた場合の、ＵＬスケジューリングとＵＬデータ送信との関係を示す別の例を示している。図２０と図２１との唯一の違いは、異なるフレーム構造の使用にある。図２１では、ＵＬスケジューリングとＵＬデータ送信とは、図２０を参照して上述したものと同じ関係であるため、これについては、ここでは詳述しない。
【０１５１】
方法１７００の第３の実施形態では、ユーザ装置は、第２のキャリア上のロングＴＴＩのＤＬ制御領域において、第１のキャリア上のＵＬデータ送信のためのＵＬスケジューリンググラントと、第２のキャリア上のＵＬデータ送信のためのＵＬスケジューリンググラントと、を受信しても良い。受信されたスケジューリンググラントに従い、ユーザ装置は、インデックスｎｓｈｏｒｔを有するショートＴＴＩにおいて、第１のキャリア上のＵＬデータ送信を実行しても良い。インデックスｎｓｈｏｒｔと、対応するＵＬスケジューリンググラントが受信されたロングＴＴＩのインデックスｎｌｏｎｇと、は、ｎｌｏｎｇ＝ｆｌｏｏｒ（（ｎｓｈｏｒｔ−１）／２）の関係を有し、ｎｌｏｎｇは整数である。また、ユーザ装置は、対応するＵＬスケジューリンググラントが受信されたロングＴＴＩの直後のロングＴＴＩにおいて、第２のキャリア上のＵＬデータ送信を実行しても良い。
【０１５２】
図２２は、方法１７００の第３の実施形態による、図１に示されるフレーム構造を用いた場合の、ＵＬスケジューリングとＵＬデータ送信との関係を示す例を示している。
【０１５３】
図示されるように、ユーザ装置は、ロングＴＴＩ０において、第１のキャリア上のＵＬデータ送信のためのＵＬスケジューリンググラントを受信し、同様に、ロングＴＴＩ０において、第２のキャリア上のＵＬデータ送信のためのＵＬスケジューリンググラントを受信した場合、続いて、ショートＴＴＩ１及び／又はショートＴＴＩ２において、第１のキャリア上のＵＬデータ送信を実行しても良いし、ロングＴＴＩ１において、第２のキャリア上のＵＬデータ送信を実行しても良い。その後、ユーザ装置は、ロングＴＴＩ１において、第１のキャリア上のＵＬデータ送信のための別のＵＬスケジューリンググラントを受信した場合、続いて、ショートＴＴＩ３及び／又はショートＴＴＩ４において、第１のキャリア上のＵＬデータ送信を実行し、ロングＴＴＩ２において、第２のキャリア上のＵＬデータ送信を実行するなどの処理を行っても良い。
【０１５４】
図２３は、方法１７００の第３の実施形態による、図２に示されるフレーム構造を用いた場合の、ＵＬスケジューリングとＵＬデータ送信との関係を示す別の例を示している。図２３と図２２との唯一の違いは、異なるフレーム構造の使用にある。図２３では、ＵＬスケジューリングとＵＬデータ送信とは、図２２を参照して上述したものと同じ関係であるため、これについては、ここでは詳述しない。
【０１５５】
図１８−図２３に示される例は、例示的な目的のためだけに提供されるものであり、本開示のいかなる限定のためでもないことに留意されたい。
【０１５６】
図２４は、本開示の幾つかの実施形態による、ＨＡＲＱフィードバックを送信するための方法２４００のフローチャートを示している。方法２４００は、ショートＴＴＩが適用される少なくとも１つのコンポーネントキャリア（以下、「第１のキャリア」と称する）と、ロングＴＴＩが適用される少なくとも１つのコンポーネントキャリア（以下、「第２のキャリア」と称する）と、のキャリアアグリゲーションをサポートする無線通信システムにおいて、ＵＬデータ送信のためのＨＡＲＱフィードバックをユーザ装置へ送信するために基地局で実行される。ロングＴＴＩ及びショートＴＴＩの各々は、ＤＬ制御領域、ＵＬ制御領域、及びデータ送信領域を含んでも良いが、必ずしもこの順序である必要はない。一例として、ＤＬ制御領域は、ＨＡＲＱフィードバックをユーザ装置に送信するために基地局によって使用されても良い。データ送信領域は、ＵＬデータ送信を基地局に送信するためにユーザ装置によって使用されても良い。
【０１５７】
図示されるように、方法２４００は、ブロック２４１０で開始され、ブロック２４１０では、基地局は、第１のキャリア上のショートＴＴＩのデータ送信領域において、及び、第２のキャリア上のロングＴＴＩのデータ送信領域において、ユーザ装置からＵＬデータ送信を受信する。
【０１５８】
ブロック２４２０では、基地局は、第１のキャリア上のショートＴＴＩのＤＬ制御領域において、又は、第２のキャリア上のロングＴＴＩのＤＬ制御領域において、又は、第１のキャリア上のショートＴＴＩ及び第２のキャリア上のロングＴＴＩの両方のＤＬ制御領域において、受信されたＵＬデータ送信のためのＨＡＲＱフィードバックを、ユーザ装置へ送信する。
【０１５９】
方法２４００の第１の実施形態では、基地局は、ＵＬデータ送信が受信されたショートＴＴＩの直後の又は２つ後のショートＴＴＩにおいて、第１のキャリア上で受信されたＵＬデータ送信のためのＨＡＲＱフィードバックを、第１のキャリア上で、送信しても良い。同様に、基地局は、ＵＬデータ送信が受信されたロングＴＴＩの直後の又は２つ後のロングＴＴＩにおいて、第２のキャリア上で受信されたＵＬデータ送信のためのＨＡＲＱフィードバックを、第２のキャリア上で、送信しても良い。
【０１６０】
図２５は、方法２４００の第１の実施形態による、図１に示されるフレーム構造を用いた場合の、ＵＬデータ送信とＨＡＲＱフィードバック送信との関係を示す例を示している。
【０１６１】
図示されるように、基地局は、ＵＬデータ送信が受信されたショートＴＴＩの２つ後のショートＴＴＩにおいて、第１のキャリア上で受信されたＵＬデータ送信のためのＨＡＲＱフィードバックを、第１のキャリア上で、送信しても良いし、ＵＬデータ送信が受信されたロングＴＴＩの２つ後のロングＴＴＩにおいて、第２のキャリア上で受信されたＵＬデータ送信のためのＨＡＲＱフィードバックを、第２のキャリア上で、送信しても良い。
【０１６２】
具体的には、図示されるように、基地局は、ショートＴＴＩ０において、第１のキャリア上でＵＬデータ送信を受信した場合、続いて、ショートＴＴＩ２において、第１のキャリア上のＵＬデータ送信のためのＨＡＲＱフィードバックを送信しても良い。その後、基地局は、ショートＴＴＩ１において、第１のキャリア上でＵＬデータ送信を受信した場合、続いて、ショートＴＴＩ３において、第１のキャリア上のＵＬデータ送信のためのＨＡＲＱフィードバックを送信しても良い。第２のキャリア上のＵＬデータ送信のために、基地局は、ロングＴＴＩ０において、第２のキャリア上でＵＬデータ送信を受信した場合、続いて、ロングＴＴＩ２において、第２のキャリア上のＵＬデータ送信のためのＨＡＲＱフィードバックを送信しても良い。その後、基地局は、ロングＴＴＩ１において、第２のキャリア上でＵＬデータ送信を受信した場合、続いて、ロングＴＴＩ３において、第２のキャリア上のＵＬデータ送信のためのＨＡＲＱフィードバックを送信しても良い。
【０１６３】
図２６は、方法２４００の第１の実施形態による、図２に示されるフレーム構造を用いた場合の、ＵＬデータ送信とＨＡＲＱフィードバック送信との関係を示す２つの別の例を示している。
【０１６４】
図示されるように、基地局は、ＵＬデータ送信が受信されたショートＴＴＩの直後の又は２つ後のショートＴＴＩにおいて、第１のキャリア上で受信されたＵＬデータ送信のためのＨＡＲＱフィードバックを、第１のキャリア上で、送信しても良いし、ＵＬデータ送信が受信されたロングＴＴＩの直後の又は２つ後のロングＴＴＩにおいて、第２のキャリア上で受信されたＵＬデータ送信のためのＨＡＲＱフィードバックを、第２のキャリア上で、送信しても良い。
【０１６５】
図２６（ａ）に示される例では、基地局は、ショートＴＴＩ０において、第１のキャリア上でＵＬデータ送信を受信した場合、続いて、ショートＴＴＩ２において、第１のキャリア上のＵＬデータ送信のためのＨＡＲＱフィードバックを送信しても良い。その後、基地局は、ショートＴＴＩ１において、第１のキャリア上でＵＬデータ送信を受信した場合、続いて、ショートＴＴＩ３において、第１のキャリア上のＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ロングＴＴＩ２において、第２のキャリア上のＵＬデータ送信のためのＨＡＲＱフィードバックを送信しても良い。その後、基地局は、ロングＴＴＩ１において、ＵＬデータ送信を受信した場合、続いて、ロングＴＴＩ３において、第２のキャリア上のＵＬデータ送信のためのＨＡＲＱフィードバックを送信しても良い。
【０１６６】
図２６（ｂ）に示される例では、基地局は、ショートＴＴＩ０において、第１のキャリア上でＵＬデータ送信を受信した場合、続いて、ショートＴＴＩ１において、第１のキャリア上のＵＬデータ送信のためのＨＡＲＱフィードバックを送信しても良い。その後、基地局は、ショートＴＴＩ１において、第１のキャリア上でＵＬデータ送信を受信した場合、続いて、ショートＴＴＩ２において、第１のキャリア上のＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ロングＴＴＩ１において、第２のキャリア上のＵＬデータ送信のためのＨＡＲＱフィードバックを送信しても良い。その後、基地局は、ロングＴＴＩ１において、ＵＬデータ送信を受信した場合、続いて、ロングＴＴＩ２において、第２のキャリア上のＵＬデータ送信のためのＨＡＲＱフィードバックを送信しても良い。
【０１６７】
方法２４００の第２の実施形態では、基地局は、ＵＬデータ送信が受信されたショートＴＴＩの直後の又は２つ後のショートＴＴＩにおいて、第１のキャリア上で受信されたＵＬデータ送信のためのＨＡＲＱフィードバックを、第１のキャリア上で、送信しても良い。
【０１６８】
第２のキャリア上で受信されたＵＬデータ送信のためのＨＡＲＱフィードバックを第１のキャリア上で送信するために、以下のような２つの代替のオプションがある。
・基地局は、インデックスｎｓｈｏｒｔのショートＴＴＩにおいて、ＨＡＲＱフィードバックを送信しても良い。インデックスｎｓｈｏｒｔと、ＵＬデータ送信が受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数である。又は、
・基地局は、インデックスｎｓｈｏｒｔのショートＴＴＩにおいて、ＨＡＲＱフィードバックを送信しても良い。インデックスｎｓｈｏｒｔと、ＵＬデータ送信が受信されたロングＴＴＩのインデックスｎｌｏｎｇと、は、ｎｓｈｏｒｔ＝２＊（ｎｌｏｎｇ＋１）の関係を有し、ｎｌｏｎｇは整数である。
【０１６９】
図２７は、方法２４００の第２の実施形態による、図１に示されるフレーム構造を用いた場合の、ＵＬデータ送信とＨＡＲＱフィードバック送信との関係を示す例を示している。
【０１７０】
図示されるように、基地局は、ＵＬデータ送信が受信されたショートＴＴＩの２つ後のショートＴＴＩにおいて、第１のキャリア上で受信されたＵＬデータ送信のためのＨＡＲＱフィードバックを、第１のキャリア上で、送信しても良いし、インデックスｎｓｈｏｒｔを有するショートＴＴＩにおいて、第２のキャリア上で受信されたＵＬデータ送信のためのＨＡＲＱフィードバックを、第１のキャリア上で、送信しても良い。インデックスｎｓｈｏｒｔと、ＵＬデータ送信が受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数である。
【０１７１】
具体的には、図示されるように、基地局は、ショートＴＴＩ０において、第１のキャリア上でＵＬデータ送信を受信した場合、続いて、ショートＴＴＩ２において、第１のキャリア上でＵＬデータ送信のためのＨＡＲＱフィードバックを送信しても良い。その後、基地局は、ショートＴＴＩ１において、第１のキャリア上でＵＬデータ送信を受信した場合、続いて、ショートＴＴＩ３において、第１のキャリア上でＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ショートＴＴＩ３において、第１のキャリア上でＵＬデータ送信のためのＨＡＲＱフィードバックを送信しても良い。その後、基地局は、ロングＴＴＩ１において、ＵＬデータ送信を受信した場合、続いて、ロングＴＴＩ５において、第１のキャリア上でＵＬデータ送信のためのＨＡＲＱフィードバックを送信しても良い。
【０１７２】
図２８は、方法２４００の第２の実施形態による、図２に示されるフレーム構造を用いた場合の、ＵＬデータ送信とＨＡＲＱフィードバック送信との関係を示す２つの別の例を示している。
【０１７３】
図示されるように、基地局は、ＵＬデータ送信が受信されたショートＴＴＩの直後の又は２つ後のショートＴＴＩにおいて、第１のキャリア上で受信されたＵＬデータ送信のためのＨＡＲＱフィードバックを、第１のキャリア上で、送信しても良いし、インデックスｎｓｈｏｒｔを有するショートＴＴＩにおいて、第２のキャリア上で受信されたＵＬデータ送信のためのＨＡＲＱフィードバックを、第１のキャリア上で、送信しても良い。インデックスｎｓｈｏｒｔと、ＵＬデータ送信が受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数であるか、又は、ｎｓｈｏｒｔ＝２＊（ｎｌｏｎｇ＋１）の関係を有し、ｎｌｏｎｇは整数である。
【０１７４】
図２８（ａ）に示される例では、基地局は、ショートＴＴＩ０において、第１のキャリア上でＵＬデータ送信を受信した場合、続いて、ショートＴＴＩ２において、第１のキャリア上でＵＬデータ送信のためのＨＡＲＱフィードバックを送信しても良い。その後、基地局は、ショートＴＴＩ１において、第１のキャリア上でＵＬデータ送信を受信した場合、続いて、ショートＴＴＩ３において、第１のキャリア上でＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ショートＴＴＩ３において、第１のキャリア上でＵＬデータ送信のためのＨＡＲＱフィードバックを送信しても良い。その後、基地局は、ロングＴＴＩ１において、ＵＬデータ送信を受信した場合、続いて、ショートＴＴＩ５において、第１のキャリア上でＵＬデータ送信のためのＨＡＲＱフィードバックを送信しても良い。
【０１７５】
図２８（ｂ）に示される例では、基地局は、ショートＴＴＩ０において、第１のキャリア上でＵＬデータ送信を受信した場合、続いて、ショートＴＴＩ１において、第１のキャリア上でＵＬデータ送信のためのＨＡＲＱフィードバックを送信しても良い。その後、基地局は、ショートＴＴＩ１において、第１のキャリア上でＵＬデータ送信を受信した場合、続いて、ショートＴＴＩ２において、第１のキャリア上でＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ショートＴＴＩ２において、第１のキャリア上でＵＬデータ送信のためのＨＡＲＱフィードバックを送信しても良い。その後、基地局は、ロングＴＴＩ１において、ＵＬデータ送信を受信した場合、続いて、ショートＴＴＩ４において、第１のキャリア上でＵＬデータ送信のためのＨＡＲＱフィードバックを送信しても良い。
【０１７６】
方法２４００の第３の実施形態では、基地局は、ＵＬデータ送信が受信されたロングＴＴＩの直後の又は２つ後のロングＴＴＩにおいて、第２のキャリア上で受信されたＵＬデータ送信のためのＨＡＲＱフィードバックを、第２のキャリア上で、送信しても良い。
【０１７７】
第１のキャリア上で受信されたＵＬデータ送信のためのＨＡＲＱフィードバックを第２のキャリア上で送信するために、以下のような２つの代替のオプションがある。
・基地局は、インデックスｎｌｏｎｇのロングＴＴＩにおいて、ＨＡＲＱフィードバックを送信しても良い。インデックスｎｌｏｎｇと、ＵＬデータ送信が受信されたショートＴＴＩのインデックスｎｓｈｏｒｔと、は、ｎｌｏｎｇ＝ｆｌｏｏｒ（（ｎｓｈｏｒｔ＋１）／２）＋１の関係を有し、ｎｓｈｏｒｔは整数である。又は、
・基地局は、インデックスｎｌｏｎｇのロングＴＴＩにおいて、ＨＡＲＱフィードバックを送信しても良い。インデックスｎｌｏｎｇと、ＵＬデータ送信が受信されたショートＴＴＩのインデックスｎｓｈｏｒｔと、は、ｎｌｏｎｇ＝ｆｌｏｏｒ（ｎｓｈｏｒｔ／２）＋１の関係を有し、ｎｓｈｏｒｔは整数である。
【０１７８】
図２９は、方法２４００の第３の実施形態による、図１に示されるフレーム構造を用いた場合の、ＵＬデータ送信とＨＡＲＱフィードバック送信との関係を示す例を示している。
【０１７９】
図示されるように、基地局は、ＵＬデータ送信が受信されたロングＴＴＩの２つ後のロングＴＴＩにおいて、第２のキャリア上で受信されたＵＬデータ送信のためのＨＡＲＱフィードバックを、第２のキャリア上で、送信しても良いし、インデックスｎｌｏｎｇを有するロングＴＴＩにおいて、第１のキャリア上で受信されたＵＬデータ送信のためのＨＡＲＱフィードバックを、第２のキャリア上で、送信しても良い。インデックスｎｌｏｎｇと、ＵＬデータ送信が受信されたショートＴＴＩのインデックスｎｓｈｏｒｔと、は、ｎｌｏｎｇ＝ｆｌｏｏｒ（（ｎｓｈｏｒｔ＋１）／２）＋１の関係を有し、ｎｓｈｏｒｔは整数である。
【０１８０】
具体的には、図示されるように、基地局は、ショートＴＴＩ０において、第１のキャリア上でＵＬデータ送信を受信した場合、続いて、ロングＴＴＩ１において、第２のキャリア上のＵＬデータ送信のためのＨＡＲＱフィードバックを送信しても良い。その後、基地局は、ショートＴＴＩ１又はショートＴＴＩ２において、第１のキャリア上でＵＬデータ送信を受信した場合、続いて、ロングＴＴＩ２において、第２のキャリア上のＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ロングＴＴＩ２において、第２のキャリア上のＵＬデータ送信のためのＨＡＲＱフィードバックを送信しても良い。その後、基地局は、ロングＴＴＩ１において、第２のキャリア上でＵＬデータ送信を受信した場合、続いて、ロングＴＴＩ３において、第２のキャリア上のＵＬデータ送信のためのＨＡＲＱフィードバックを送信しても良い。
【０１８１】
図３０は、方法２４００の第１の実施形態による、図２に示されるフレーム構造を用いた場合の、ＵＬデータ送信とＨＡＲＱフィードバック送信との関係を示す２つの別の例を示している。
【０１８２】
図示されるように、基地局は、ＵＬデータ送信が受信されたロングＴＴＩの直後の又は２つ後のロングＴＴＩにおいて、第２のキャリア上で受信されたＵＬデータ送信のためのＨＡＲＱフィードバックを、第２のキャリア上で、送信しても良いし、インデックスｎｌｏｎｇを有するロングＴＴＩにおいて、第１のキャリア上で受信されたＵＬデータ送信のためのＨＡＲＱフィードバックを、第２のキャリア上で、送信しても良い。インデックスｎｌｏｎｇと、ＵＬデータ送信が受信されたショートＴＴＩのインデックスｎｓｈｏｒｔと、は、ｎｌｏｎｇ＝ｆｌｏｏｒ（（ｎｓｈｏｒｔ＋１）／２）＋１の関係を有し、ｎｓｈｏｒｔは整数であるか、又は、ｎｌｏｎｇ＝ｆｌｏｏｒ（ｎｓｈｏｒｔ／２）＋１の関係を有し、ｎｓｈｏｒｔは整数である。
【０１８３】
図３０（ａ）に示される例では、基地局は、ショートＴＴＩ０において、第１のキャリア上でＵＬデータ送信を受信した場合、続いて、ロングＴＴＩ１において、第２のキャリア上のＵＬデータ送信のためのＨＡＲＱフィードバックを送信しても良い。その後、基地局は、ショートＴＴＩ１又はショートＴＴＩ２において、第１のキャリア上でＵＬデータ送信を受信した場合、続いて、ロングＴＴＩ２において、第２のキャリア上のＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ロングＴＴＩ２において、第２のキャリア上のＵＬデータ送信のためのＨＡＲＱフィードバックを送信しても良い。その後、基地局は、ロングＴＴＩ１において、第２のキャリア上でＵＬデータ送信を受信した場合、続いて、ロングＴＴＩ３において、第２のキャリア上のＵＬデータ送信のためのＨＡＲＱフィードバックを送信しても良い。
【０１８４】
図３０（ｂ）に示される例では、基地局は、ショートＴＴＩ０又はショートＴＴＩ１において、第１のキャリア上でＵＬデータ送信を受信した場合、続いて、ロングＴＴＩ１において、第２のキャリア上のＵＬデータ送信のためのＨＡＲＱフィードバックを送信しても良い。その後、基地局は、ショートＴＴＩ２又はショートＴＴＩ３において、第１のキャリア上でＵＬデータ送信を受信した場合、続いて、ロングＴＴＩ２において、第２のキャリア上のＵＬデータ送信のためのＨＡＲＱフィードバックを送信しても良い。第２のキャリア上のＵＬデータ送信のために、基地局は、ロングＴＴＩ０において、ＵＬデータ送信を受信した場合、続いて、ロングＴＴＩ１において、第２のキャリア上のＵＬデータ送信のためのＨＡＲＱフィードバックを送信しても良い。その後、基地局は、ロングＴＴＩ１において、ＵＬデータ送信を受信した場合、続いて、ロングＴＴＩ２において、第２のキャリア上のＵＬデータ送信のためのＨＡＲＱフィードバックを送信しても良い。
【０１８５】
図２５−図３０に示される例は、例示的な目的のためだけに提供されるものであり、本開示のいかなる限定のためでもないことに留意されたい。
【０１８６】
図３１は、本開示の幾つかの実施形態による、ショートＴＴＩが適用される少なくとも１つの第１のキャリアと、ロングＴＴＩが適用される少なくとも１つの第２のキャリアと、のキャリアアグリゲーションをサポートする通信システムにおいて、ユーザ装置へのデータ送信を実行するための装置３１００の概略的なブロック図を示している。装置３１００は、基地局又は基地局の少なくとも一部として具現化されても良い。
【０１８７】
具体的には、装置３１００は、スケジューラ３１１０及びトランスミッタ３１２０を備える。スケジューラ３１１０は、第１のキャリア上のショートＴＴＩ及び第２のキャリア上のロングＴＴＩの少なくとも１つのＤＬ制御領域において、ユーザ装置へのデータ送信に対応する少なくとも１つのＤＬスケジューリンググラントを送信するように構成される。トランスミッタ３１２０は、少なくとも１つのＤＬスケジューリンググラントによって示されるように、第１のキャリア上のショートＴＴＩのデータ送信領域において、及び、第２のキャリア上のロングＴＴＩのデータ送信領域において、ユーザ装置へのＤＬデータ送信を実行するように構成される。
【０１８８】
一実施形態では、スケジューラ３１１０は、第１のキャリア上のショートＴＴＩのＤＬ制御領域において、第１のキャリア上のデータ送信に対応するＤＬスケジューリンググラントを送信し、第２のキャリア上のロングＴＴＩのＤＬ制御領域において、第２のキャリア上のデータ送信に対応するＤＬスケジューリンググラントを送信するように構成されても良い。トランスミッタ３１２０は、対応するＤＬスケジューリンググラントが送信されたショートＴＴＩにおいて、又は、対応するＤＬスケジューリンググラントが送信されたショートＴＴＩの直後のショートＴＴＩにおいて、第１のキャリア上のＤＬデータ送信を実行し、対応するＤＬスケジューリンググラントが送信されたロングＴＴＩにおいて、又は、対応するＤＬスケジューリンググラントが送信されたロングＴＴＩの直後のロングＴＴＩにおいて、第２のキャリア上のＤＬデータ送信を実行するように構成されても良い。
【０１８９】
別の実施形態では、スケジューラ３１１０は、第１のキャリア上のショートＴＴＩのＤＬ制御領域において、第２のキャリア上のデータ送信に対応するＤＬスケジューリンググラントを送信し、第１のキャリア上のショートＴＴＩのＤＬ制御領域において、第１のキャリア上のデータ送信に対応するＤＬスケジューリンググラントを送信するように構成されても良い。トランスミッタ３１２０は、対応するＤＬスケジューリンググラントが送信されたショートＴＴＩにおいて、又は、対応するＤＬスケジューリンググラントが送信されたショートＴＴＩの直後のショートＴＴＩにおいて、第１のキャリア上のＤＬデータ送信を実行し、インデックスｎｌｏｎｇのロングＴＴＩにおいて、第２のキャリア上のＤＬデータ送信を実行するように構成されても良い。インデックスｎｌｏｎｇと、対応するＤＬスケジューリンググラントが送信されたショートＴＴＩのインデックスｎｌｏｎｇと、は、ｎｌｏｎｇ＝ｎｓｈｏｒｔ／２の関係を有し、ｎｓｈｏｒｔは偶数である。
【０１９０】
さらに別の実施形態では、スケジューラ３１３０は、第２のキャリア上のロングＴＴＩのＤＬ制御領域において、第２のキャリア上のデータ送信に対応するＤＬスケジューリンググラントと、第１のキャリア上のデータ送信に対応するＤＬスケジューリンググラントと、を送信するように構成されても良い。トランスミッタ３１２０は、対応するＤＬスケジューリンググラントが送信されたロングＴＴＩにおいて、又は、対応するＤＬスケジューリンググラントが送信されたロングＴＴＩの直後のロングＴＴＩにおいて、第２のキャリア上のＤＬデータ送信を実行し、インデックスｎｓｈｏｒｔのショートＴＴＩにおいて、第１のキャリア上のＤＬデータ送信を実行するように構成されても良い。インデックスｎｓｈｏｒｔと、対応するＤＬスケジューリンググラントが送信されたロングＴＴＩのインデックスｎｌｏｎｇと、は、ｎｌｏｎｇ＝ｆｌｏｏｒ（ｎｓｈｏｒｔ／２）の関係を有し、ｎｓｈｏｒｔは整数である。又は、インデックスｎｓｈｏｒｔと、対応するＤＬスケジューリンググラントが送信されたロングＴＴＩのインデックスｎｌｏｎｇと、は、ｎｌｏｎｇ＝ｆｌｏｏｒ（（ｎｓｈｏｒｔ−１）／２）の関係を有し、ｎｓｈｏｒｔは整数である。
【０１９１】
上述のスケジューラ３１１０及びトランスミッタ３１２０は、図３−図９を参照して説明した対応する動作又はステップを実施するように構成されても良いが、簡潔にするためにここでは詳述しない。
【０１９２】
図３２は、本開示の幾つかの実施形態による、ショートＴＴＩが適用される少なくとも１つの第１のキャリアと、ロングＴＴＩが適用される少なくとも１つの第２のキャリアと、のキャリアアグリゲーションをサポートする通信システムにおいて、ＨＡＲＱフィードバックを基地局に送信するための装置３２００の概略的なブロック図を示している。装置３２００は、ユーザ装置又はユーザ装置の少なくとも一部として具現化されても良い。
【０１９３】
具体的には、装置３２００は、レシーバ３２１０及びトランスミッタ３２２０を備える。レシーバ３２１０は、第２のキャリア上のロングＴＴＩのデータ送信領域において、及び、第１のキャリア上のショートＴＴＩのデータ送信領域において、基地局からＤＬデータ送信を受信するように構成される。トランスミッタ３２２０は、第１のキャリア上のショートＴＴＩ及び第２のキャリア上のロングＴＴＩのうちの少なくとも１つのＵＬ制御領域において、受信されたＤＬデータ送信のためのＨＡＲＱフィードバックを、基地局へ送信するように構成される。
【０１９４】
一実施形態では、トランスミッタ３２２０は、ＤＬデータ送信が受信されたショートＴＴＩの直後の又は２つ後のショートＴＴＩにおいて、第１のキャリア上で受信されたＤＬデータ送信のためのＨＡＲＱフィードバックを、第１のキャリア上で、送信するように構成されても良い。
【０１９５】
さらなる実施形態では、トランスミッタ３２２０は、ＤＬデータ送信が受信されたロングＴＴＩの直後の又は２つ後のロングＴＴＩにおいて、第２のキャリア上で受信されたＤＬデータ送信のためのＨＡＲＱフィードバックを、第２のキャリア上で、送信するように構成されても良い。
【０１９６】
別の実施形態では、トランスミッタ３２２０は、以下のいずれかのショートＴＴＩにおいて、第２のキャリア上で受信されたＤＬデータ送信のためのＨＡＲＱフィードバックを、第１のキャリア上で、送信するように構成されても良い。インデックスｎｓｈｏｒｔのショートＴＴＩ（インデックスｎｓｈｏｒｔと、ＤＬスケジューリンググラントが受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数である）。又は、インデックスｎｓｈｏｒｔのショートＴＴＩ（インデックスｎｓｈｏｒｔと、ＤＬスケジューリンググラントが受信されたロングＴＴＩのインデックスｎｌｏｎｇと、は、ｎｓｈｏｒｔ＝２＊（ｎｌｏｎｇ＋１）の関係を有し、ｎｌｏｎｇは整数である）。
【０１９７】
さらに別の実施形態では、トランスミッタ３２２０は、ＤＬデータ送信が受信されたロングＴＴＩの直後の又は２つ後のロングＴＴＩにおいて、第２のキャリア上で受信されたＤＬデータ送信のためのＨＡＲＱフィードバックを、第２のキャリア上で、送信し、インデックスｎｌｏｎｇのロングＴＴＩにおいて、第１のキャリア上で受信されたＤＬデータ送信のためのＨＡＲＱフィードバックを、第２のキャリア上で、送信するように構成されても良い。インデックスｎｌｏｎｇと、ＤＬスケジューリンググラントが受信されたショートＴＴＩのインデックスｎｓｈｏｒｔと、は、ｎｌｏｎｇ＝ｆｌｏｏｒ（ｎｓｈｏｒｔ／２）＋１の関係を有し、ｎｓｈｏｒｔは整数である。
【０１９８】
さらに別の実施形態では、トランスミッタ３２２０は、ＤＬデータ送信が受信されたショートＴＴＩにおいて、第１のキャリア上で受信されたＤＬデータ送信のためのＨＡＲＱフィードバックを、第１のキャリア上で、送信するように構成されても良い。
【０１９９】
さらなる実施形態では、トランスミッタ３２２０は、ＤＬデータ送信が受信されたロングＴＴＩにおいて、第２のキャリア上で受信されたＤＬデータ送信のためのＨＡＲＱフィードバックを、第２のキャリア上で、送信し、インデックスｎｓｈｏｒｔのショートＴＴＩにおいて、第２のキャリア上で受信されたＤＬデータ送信のためのＨＡＲＱフィードバックを、第１のキャリア上で、送信するように構成されても良い。インデックスｎｓｈｏｒｔと、ＤＬスケジューリンググラントが受信されたロングＴＴＩのインデックスｎｌｏｎｇと、は、ｎｓｈｏｒｔ＝２＊ｎｌｏｎｇ＋１の関係を有し、ｎｌｏｎｇは整数である。
【０２００】
さらに別の実施形態では、トランスミッタ３２２０は、ＤＬデータ送信が受信されたロングＴＴＩにおいて、第２のキャリア上で受信されたＤＬデータ送信のためのＨＡＲＱフィードバックを、第２のキャリア上で、送信し、インデックスｎｌｏｎｇのロングＴＴＩにおいて、第１のキャリア上で受信されたＤＬデータ送信のためのＨＡＲＱフィードバックを、第２のキャリア上で、送信するように構成されても良い。インデックスｎｌｏｎｇと、ＤＬスケジューリンググラントが受信されたショートＴＴＩのインデックスｎｓｈｏｒｔと、は、ｎｌｏｎｇ＝ｆｌｏｏｒ（（ｎｓｈｏｒｔ−１）／２）＋１の関係を有し、ｎｌｏｎｇは整数である。
【０２０１】
上述のレシーバ３２１０及びトランスミッタ３２２０は、図１０−図１６を参照して説明した対応する動作又はステップを実施するように構成されても良いが、簡潔にするためにここでは詳述しない。
【０２０２】
図３３は、ショートＴＴＩが適用される少なくとも１つの第１のキャリアと、ロングＴＴＩが適用される少なくとも１つの第２のキャリアと、のキャリアアグリゲーションをサポートする通信システムにおいて、基地局へのデータ送信を実行するための装置３３００の概略的なブロック図を示している。装置３３００は、ユーザ装置又はユーザ装置の少なくとも一部として具現化されても良い。
【０２０３】
具体的には、装置３３００は、レシーバ３３１０及びトランスミッタ３３２０を備える。レシーバ３３１０は、第１のキャリア上のショートＴＴＩ及び第２のキャリア上のロングＴＴＩの少なくとも１つのＤＬ制御領域において、基地局へのデータ送信のための少なくとも１つのＵＬスケジューリンググラントを受信するように構成される。トランスミッタ３３２０は、少なくとも１つのＵＬスケジューリンググラントによって示されるように、第１のキャリア上のショートＴＴＩのデータ送信領域において、及び、第２のキャリア上のロングＴＴＩのデータ送信領域において、基地局へのＵＬデータ送信を実行するように構成される。
【０２０４】
一実施形態では、レシーバ３３１０は、第１のキャリア上のショートＴＴＩのＤＬ制御領域において、第１のキャリア上のデータ送信のためのＵＬスケジューリンググラントを受信し、第２のキャリア上のロングＴＴＩのＤＬ制御領域において、第２のキャリア上のデータ送信のためのＵＬスケジューリンググラントを受信するように構成されても良い。トランスミッタ３３２０は、対応するＵＬスケジューリンググラントが受信されたショートＴＴＩの直後のショートＴＴＩにおいて、第１のキャリア上のＵＬデータ送信を実行し、対応するＵＬスケジューリンググラントが受信されたロングＴＴＩの直後のロングＴＴＩにおいて、第２のキャリア上のＵＬデータ送信を実行するように構成されても良い。
【０２０５】
別の実施形態では、レシーバ３３１０は、第１のキャリア上のショートＴＴＩのＤＬ制御領域において、第１のキャリア上のデータ送信のためのＵＬスケジューリンググラントを受信し、第１のキャリア上のショートＴＴＩのＤＬ制御領域において、第２のキャリア上のデータ送信のためのＵＬスケジューリンググラントを受信するように構成されても良い。トランスミッタ３３２０は、対応するアップリンクスケジューリンググラントが受信されたショートＴＴＩの直後のショートＴＴＩにおいて、第１のキャリア上のＵＬデータ送信を実行し、インデックスｎｌｏｎｇのロングＴＴＩにおいて、第２のキャリア上のＵＬデータ送信を実行するように構成されても良い。インデックスｎｌｏｎｇと、対応するＵＬスケジューリンググラントが受信されたショートＴＴＩのインデックスｎｓｈｏｒｔと、は、ｎｌｏｎｇ＝ｎｓｈｏｒｔ／２の関係を有し、ｎｓｈｏｒｔは偶数であるか、又は、ｎｌｏｎｇ＝１＋ｎｓｈｏｒｔ／２の関係を有し、ｎｓｈｏｒｔは偶数である。
【０２０６】
さらに別の実施形態では、レシーバ３３１０は、第２のキャリア上のロングＴＴＩのＤＬ制御領域において、第１のキャリア上のデータ送信のためのＵＬスケジューリンググラントと、第２のキャリア上のデータ送信のためのＵＬスケジューリンググラントと、を受信するように構成されても良い。トランスミッタ３３２０は、インデックスｎｓｈｏｒｔのショートＴＴＩ（インデックスｎｓｈｏｒｔと、対応するＵＬスケジューリンググラントが受信されたロングＴＴＩのインデックスｎｌｏｎｇと、は、ｎｌｏｎｇ＝ｆｌｏｏｒ（（ｎｓｈｏｒｔ−１）／２）の関係を有し、ｎｌｏｎｇは整数である）において、第１のキャリア上のＵＬデータ送信を実行し、対応するＵＬスケジューリンググラントが受信されたロングＴＴＩの直後のロングＴＴＩにおいて、第２のキャリア上のＵＬデータ送信を実行しても良い。
【０２０７】
上述のレシーバ３３１０及びトランスミッタ３３２０は、図１７−図２３を参照して説明した対応する動作又はステップを実施するように構成されても良いが、簡潔にするためにここでは詳述しない。
【０２０８】
図３４は、ショートＴＴＩが適用される少なくとも１つの第１のキャリアと、ロングＴＴＩが適用される少なくとも１つの第２のキャリアと、のキャリアアグリゲーションをサポートする通信システムにおいて、ユーザ装置にＨＡＲＱフィードバックを送信するための装置３４００の概略的なブロック図を示している。装置３４００は、基地局又は基地局の少なくとも一部として具現化されても良い。
【０２０９】
具体的には、この装置は、レシーバ３４１０及びトランスミッタ３４２０を備える。レシーバ３４１０は、第２のキャリア上のロングＴＴＩのデータ送信領域において、及び、第１のキャリア上のショートＴＴＩのデータ送信領域において、ユーザ装置からＵＬデータ送信を受信するように構成される。トランスミッタ３４２０は、第１のキャリア上のショートＴＴＩ及び第２のキャリア上のロングＴＴＩのうちの少なくとも１つのＤＬ制御領域において、受信されたＵＬデータ送信のためのＨＡＲＱフィードバックを、ユーザ装置へ送信するように構成される。
【０２１０】
一実施形態では、トランスミッタ３４２０は、ＵＬデータ送信が受信されたショートＴＴＩの直後の又は２つ後のショートＴＴＩにおいて、第１のキャリア上で受信されたＵＬデータ送信のためのＨＡＲＱフィードバックを、第１のキャリア上で、送信するように構成されても良い。さらに、トランスミッタ３４２０は、ＵＬデータ送信が受信されたロングＴＴＩの直後の又は２つ後のロングＴＴＩにおいて、第２のキャリア上で受信されたＵＬデータ送信のためのＨＡＲＱフィードバックを、第２のキャリア上で、送信するように構成されても良い。
【０２１１】
別の実施形態では、トランスミッタ３４２０は、以下のいずれかのショートＴＴＩにおいて、第２のキャリア上で受信されたＵＬデータ送信のためのＨＡＲＱフィードバックを、第１のキャリア上で、送信するように構成されても良い。インデックスｎｓｈｏｒｔのショートＴＴＩ（インデックスｎｓｈｏｒｔと、ＵＬスケジューリンググラントが受信されたロングＴＴＩのインデックスｎｌｏｎｇと、は、ｎｓｈｏｒｔ＝２＊（ｎｌｏｎｇ＋１）＋１の関係を有し、ｎｌｏｎｇは整数である）。又は、インデックスｎｓｈｏｒｔのショートＴＴＩ（インデックスｎｓｈｏｒｔと、ＵＬスケジューリンググラントが受信されたロングＴＴＩのインデックスｎｌｏｎｇと、は、ｎｓｈｏｒｔ＝２＊（ｎｌｏｎｇ＋１）の関係を有し、ｎｌｏｎｇは整数である）。
【０２１２】
さらに別の実施形態では、トランスミッタ３４２０は、ＵＬデータ送信が受信されたロングＴＴＩの直後の又は２つ後のロングＴＴＩにおいて、第２のキャリア上で受信されたＵＬデータ送信のためのＨＡＲＱフィードバックを、第２のキャリア上で、送信し、以下のいずれかのロングＴＴＩにおいて、第１のキャリア上で受信されたＵＬデータ送信のためのＨＡＲＱフィードバックを、第２のキャリア上で、送信するように構成されても良い。インデックスｎｌｏｎｇのロングＴＴＩ（インデックスｎｌｏｎｇと、ＵＬデータ送信が受信されたショートＴＴＩのインデックスｎｓｈｏｒｔと、は、ｎｌｏｎｇ＝ｆｌｏｏｒ（（ｎｓｈｏｒｔ＋１）／２）＋１の関係を有し、ｎｓｈｏｒｔは整数である）。又は、インデックスｎｌｏｎｇのロングＴＴＩ（インデックスｎｌｏｎｇと、ＵＬデータ送信が受信されたショートＴＴＩのインデックスｎｓｈｏｒｔと、は、ｎｌｏｎｇ＝ｆｌｏｏｒ（ｎｓｈｏｒｔ／２）＋１の関係を有し、ｎｓｈｏｒｔは整数である）。
【０２１３】
上述のレシーバ３４１０及びトランスミッタ３４２０は、図２４−図３０を参照して説明した対応する動作又はステップを実施するように構成されても良いが、簡潔にするためにここでは詳述しない。
【０２１４】
図３５は、本開示の幾つかの実施形態による、データ送信を実行するか、又は、本開示の幾つかの他の実施形態による、ＨＡＲＱフィードバックを送信するための装置３５００の概略的なブロック図を示している。装置３５００は、基地局又は基地局の少なくとも一部として具現化されても良い。代替的に、装置３５００は、ユーザ装置又はユーザ装置の少なくとも一部として具現化されても良い。
【０２１５】
装置３５００は、データプロセッサ（ｄａｔａ  ｐｒｏｃｅｓｓｏｒ，ＤＰ）などの少なくとも１つのプロセッサ３５１０、及び、プロセッサ３５１０に結合された少なくとも１つのメモリ（ｍｅｍｏｒｙ，ＭＥＭ）３５２０を備える。装置３５００は、他の装置との無線通信を確立するためにプロセッサ３５１０に結合されたトランスミッタＴＸ及びレシーバＲＸ３５３０をさらに備えても良い。ＭＥＭ３５２０は、プログラム（ｐｒｏｇｒａｍ，ＰＲＯＧ）３５４０を格納する。ＰＲＯＧ３５４０は、関連するプロセッサ３５１０上で実行されたときに、装置３５００を、本開示の幾つかの実施形態に従って動作させる命令、例えば、上述の方法３００、１０００，１７００又は２４００を実行させる命令を含んでも良い。少なくとも１つのプロセッサ３５１０と少なくとも１つのＭＥＭ３５２０との組み合わせは、本開示の幾つかの実施形態を実施するように構成されるプロセッシング手段３５５０を形成しても良い。
【０２１６】
ＭＥＭ３５２０は、ローカルな技術環境に適した任意のタイプのもので良いし、非限定的な例として、半導体ベースのメモリデバイス、磁気メモリデバイス及びシステム、光メモリデバイス及びシステム、固定メモリ、およびリムーバブルメモリをなどの任意の適切なデータストレージ技術を用いて実装されても良い。
【０２１７】
プロセッサ３５１０は、ローカルな技術環境に適した任意のタイプのもので良いし、非限定的な例として、汎用コンピュータ、専用コンピュータ、マイクロプロセッサ、デジタル信号プロセッサＤＳＰ、及びマルチコアプロセッサアーキテクチャベースのプロセッサを含んでも良い。
【０２１８】
加えて、本開示は、上述のコンピュータプログラムを含む担体も提供しても良く、この担体は、電気信号、光信号、無線信号、又はコンピュータ可読媒体の１つである。コンピュータ可読媒体は、例えば、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、フラッシュメモリ、磁気テープ、ＣＤ−ＲＯＭ、ＤＶＤ、及びＢｌｕｅ−ｒａｙディスクなどの光コンパクトディスク、又は電子メモリデバイスであり得る。
【０２１９】
本明細書に記載の技術は、種々の手段により実施されることができ、一実施形態で説明される対応する装置の１以上の機能を実施する装置は、先行技術の手段だけでなく、一実施形態で説明される対応する装置の１以上の機能を実施するための手段をも備え、それは、別々の機能のための個別の手段、又は２以上の機能を実行するように構成され得る手段を備え得る。例えば、これら技術は、ハードウェア（１以上の装置）、ファームウェア（１以上の装置）、ソフトウェア（１以上のモジュール）、又はそれらの組み合わせにおいて実行され得る。ファームウェア又はソフトウェアについて、実装は、本明細書に説明される機能を実行するモジュール（例えばプロシージャ、機能、など）を通じてなされ得る。
【０２２０】
本明細書における実施形態は、方法及び装置のブロック図及びフローチャート図を参照して上記で説明された。ブロック図及びフローチャート図の各ブロック、並びにブロック図及びフローチャート図内のブロックの組み合わせは、それぞれ、コンピュータプログラム命令を含む様々な手段により実行されることができることが理解されるであろう。これらコンピュータプログラム命令は、コンピュータ又は他のプログラム可能データ処理装置上で実行される命令がフローチャートブロックにおいて特定される機能を実行するための手段を生成するように、汎用コンピュータ、専用コンピュータ、又は他のプログラム可能データ処理装置上にロードされ、マシンを生成しうる。
【０２２１】
本明細書は、多数の特定の実施の詳細を含んでいるものの、これらは、実施の範囲又は請求される可能性がある範囲の限定として解釈されるべきではなく、特定の実施例の特定の実施形態に特有であり得る特徴の説明として解釈されるべきである。別個の実施形態の文脈において本明細書で説明される特定の特徴は、単一の実施形態において組み合わせて実施されても良い。反対に、単一の実施形態の文脈で記載されている様々な特徴は、複数の実施形態で別々に、又は任意の適切なサブコンビネーションで実施することもできる。さらに、特徴は、特定の組み合わせで作用するものとして上述されており、当初はそのように主張されていたとしても、請求された組み合わせからの１つ以上の特徴は、場合によっては組み合わせから切り取られても良く、請求された組み合わせは、サブコンビネーション又はサブコンビネーションのバリエーションに向けられても良い。
【０２２２】
技術が進歩するにつれて、本発明の概念が様々な方法で実施できることは、当業者には明らかであろう。上述の実施形態は、本開示を限定するものではなく説明するために与えられており、当業者が容易に理解するように、本開示の精神及び範囲から逸脱することなく、改変及び変形が可能であることを理解されたい。そのような改変及び変形は、開示及び添付の請求項の範囲内にあると考えられる。本開示の保護範囲は、添付の特許請求の範囲によって規定される。
【図１】
2020005299.tif 000011
【図２】
2020005299.tif 000012
【図３】
2020005299.tif 000013
【図４】
2020005299.tif 000014
【図５】
2020005299.tif 000015
【図６】
2020005299.tif 000016
【図７】
2020005299.tif 000017
【図８】
2020005299.tif 000018
【図９】
2020005299.tif 000019
【図１０】
2020005299.tif 000020
【図１１】
2020005299.tif 000021
【図１２】
2020005299.tif 000022
【図１３】
2020005299.tif 000023
【図１４】
2020005299.tif 000024
【図１５】
2020005299.tif 000025
【図１６】
2020005299.tif 000026
【図１７】
2020005299.tif 000027
【図１８】
2020005299.tif 000028
【図１９】
2020005299.tif 000029
【図２０】
2020005299.tif 000030
【図２１】
2020005299.tif 000031
【図２２】
2020005299.tif 000032
【図２３】
2020005299.tif 000033
【図２４】
2020005299.tif 000034
【図２５】
2020005299.tif 000035
【図２６】
2020005299.tif 000036
【図２７】
2020005299.tif 000037
【図２８】
2020005299.tif 000038
【図２９】
2020005299.tif 000039
【図３０】
2020005299.tif 000040
【図３１】
2020005299.tif 000041
【図３２】
2020005299.tif 000042
【図３３】
2020005299.tif 000043
【図３４】
2020005299.tif 000044
【図３５】
2020005299.tif 000045